(57)【特許請求の範囲】
【請求項１】
所定量の生産物の生産に要する時間間隔よりも短い時間間隔で計測される生産ラインの消費エネルギーを示すエネルギーデータ、並びに、前記生産ラインによる所定量の生産物の生産開始時間および次の所定量の生産物の生産開始時間を示す生産時間データを取得するデータ取得部と、
所定量の生産物の生産開始時間から次の所定量の生産物の生産開始時間までの期間の前記消費エネルギーを積算した値であるエネルギー原単位を算出する原単位算出部と、
前記エネルギー原単位を基準値内および基準値外に分類する分類部と、
前記基準値内および前記基準値外に分類された所定期間の各総消費エネルギーを表示する表示制御部と、を備えることを特徴とする管理装置。
【請求項２】
所定量の生産物の生産に要する時間間隔よりも短い時間間隔で計測される生産ラインの消費エネルギーを示すエネルギーデータ、並びに、前記生産ラインによる所定量の生産物の生産開始時間および次の所定量の生産物の生産開始時間を示す生産時間データを取得するデータ取得部と、
所定量の生産物の生産開始時間から次の所定量の生産物の生産開始時間までの期間の前記消費エネルギーを積算した値であるエネルギー原単位を算出する原単位算出部と、
前記所定量の生産物の生産開始時間が生産計画時間内に含まれておりかつ基準値内である前記エネルギー原単位を基準値内に、前記所定量の生産物の生産開始時間が生産計画時間内に含まれておりかつ基準値外である前記エネルギー原単位を基準値外に、前記所定量の生産物の生産開始時間が生産計画時間外に含まれる前記エネルギー原単位を生産計画時間外に分類する分類部と、
前記基準値内、前記基準値外および前記生産計画時間外に分類された所定期間の各総消費エネルギーを表示する表示制御部と、を備えることを特徴とする管理装置。
【請求項３】
前記分類部が分類したエネルギー原単位に基づいて、前記基準値内に分類されたエネルギー原単位の平均値および前記基準値外に分類されたエネルギー原単位の平均値を学習値として算出する学習値算出部と、
前記学習値、計画生産数および基準値外に分類されるエネルギー原単位の目標出現率に基づいて、前記所定期間における、前記基準値内および前記基準値外に分類される各総消費エネルギーの目標値、並びに、前記基準値内および前記基準値外に分類される各総消費エネルギーの目標値を合計した前記生産ラインの総消費エネルギーの目標値の少なくとも１つを算出する目標値算出部と、をさらに備え、
前記表示制御部は、さらに、前記目標値算出部が算出した目標値を表示することを特徴とする請求項１に記載の管理装置。
【請求項４】
前記分類部が分類したエネルギー原単位に基づいて、前記基準値内に分類されたエネルギー原単位の平均値、前記基準値外に分類されたエネルギー原単位の平均値、および、前記生産計画時間外における単位時間当たりの消費エネルギーを学習値として算出する学習値算出部と、
前記学習値、生産計画時間、計画生産数および基準値外に分類されるエネルギー原単位の目標出現率に基づいて、前記所定期間における、前記基準値内、前記基準値外および前記生産計画時間外に分類される各総消費エネルギーの目標値、並びに、前記基準値内および前記基準値外に分類される各総消費エネルギーの目標値を合計した前記生産計画時間内における総消費エネルギーの目標値、並びに、前記生産計画時間内における総消費エネルギーの目標値および前記生産計画時間外に分類される総消費エネルギーの目標値を合計した前記生産ラインの総消費エネルギーの目標値の少なくとも１つを算出する目標値算出部と、をさらに備え、
前記表示制御部は、さらに、前記目標値算出部が算出した目標値を表示することを特徴とする請求項２に記載の管理装置。
【請求項５】
前記分類部は、さらに、前記所定量の生産物の生産開始時間が生産計画時間外に含まれておりかつ前記所定量の生産物の生産開始時間が設備稼働計画時間内に含まれておりかつ当該設備稼働計画時間の開始時間から前記所定量の生産物の生産開始時間までの期間に前記生産計画時間を含まない前記エネルギー原単位を立上中に、前記所定量の生産物の生産開始時間が前記生産計画時間外に含まれておりかつ前記所定量の生産物の生産開始時間が設備稼働計画時間外に含まれる前記エネルギー原単位を待機中に、前記所定量の生産物の生産開始時間が前記生産計画時間外に含まれておりかつ前記所定量の生産物の生産開始時間が設備稼働計画時間内に含まれておりかつ当該設備稼働計画時間の開始時間から前記所定量の生産物の生産開始時間までの期間に前記生産計画時間を含む前記エネルギー原単位を前記待機中に分類し、
前記表示制御部は、前記基準値内、前記基準値外、前記立上中および前記待機中に分類された所定期間の各総消費エネルギーを表示することを特徴とする請求項２に記載の管理装置。
【請求項６】
前記分類部が分類したエネルギー原単位に基づいて、前記基準値内に分類されたエネルギー原単位の平均値、前記基準値外に分類されたエネルギー原単位の平均値、並びに、前記立上中および前記待機中における単位時間当たりの消費エネルギーを学習値として算出する学習値算出部と、
前記学習値、生産計画時間、設備稼働計画時間、計画生産数および基準値外に分類されるエネルギー原単位の目標出現率に基づいて、前記所定期間における、前記基準値内、前記基準値外、前記立上中および前記待機中に分類される各総消費エネルギーの目標値、並びに、前記基準値内および前記基準値外に分類される各総消費エネルギーの目標値を合計した前記生産計画時間内における総消費エネルギーの目標値、並びに、前記生産計画時間内における総消費エネルギーの目標値および前記生産計画時間外に分類される総消費エネルギーの目標値を合計した前記生産ラインの総消費エネルギーの目標値の少なくとも１つを算出する目標値算出部と、をさらに備え、
前記表示制御部は、さらに、前記目標値算出部が算出した目標値を表示することを特徴とする請求項５に記載の管理装置。
【請求項７】
前記分類部は、前記所定量の生産物の生産開始時間が生産計画時間内に含まれておりかつ基準値内である前記エネルギー原単位を基準値内に分類し、前記所定量の生産物の生産開始時間が生産計画時間内に含まれておりかつ基準値外である前記エネルギー原単位を基準値外に分類し、
前記所定量の生産物の生産開始時間が生産計画時間外に含まれておりかつ前記次の所定量生産物の生産開始時間が生産計画時間内に含まれる前記エネルギー原単位を生産計画時間外に分類し、
前記所定量の生産物の生産開始時間および前記次の所定量生産物の生産開始時間が生産計画時間外に含まれておりかつ基準値内である前記エネルギー原単位を基準値内に分類し、
前記所定量の生産物の生産開始時間および前記次の所定量生産物の生産開始時間が生産計画時間外に含まれておりかつ基準値外である前記エネルギー原単位を、基準値である一方のエネルギー原単位と、元のエネルギー原単位から基準値を減算した他方のエネルギー原単位とに分割し、当該一方のエネルギー原単位を基準値内に分類し、当該他方のエネルギー原単位を生産計画時間外に分類することを特徴とする請求項２に記載の管理装置。
【請求項８】
前記分類部は、前記所定量の生産物の生産開始時間が生産計画時間内に含まれるエネルギー原単位であっても、前記所定量の生産物の生産開始時間から前記次の所定量生産物の生産開始時間までの期間が所定値より大きいエネルギー原単位を生産計画時間外に分類することを特徴とする請求項２に記載の管理装置。
【請求項９】
前記分類部は、前記所定量の生産物の生産開始時間が生産計画時間内に含まれるエネルギー原単位であっても、所定値より大きいエネルギー原単位を生産計画時間外に分類することを特徴とする請求項２に記載の管理装置。
【請求項１０】
検出装置が算出したエネルギー原単位を取得するデータ取得部と、
前記エネルギー原単位を基準値内および基準値外に分類する分類部と、
前記基準値内および前記基準値外に分類された所定期間の各総消費エネルギーを表示する表示制御部と、を備え、
前記エネルギー原単位は、所定量の生産物の生産開始時間から次の所定量の生産物の生産開始時間までの期間の生産ラインの消費エネルギーを積算した値である
ことを特徴とする管理装置。
【請求項１１】
検出装置と、管理装置とを含む管理システムであって、
前記検出装置は、
所定量の生産物の生産に要する時間間隔よりも短い時間間隔で、生産ラインの消費エネルギーを計測する計測部と、
前記生産ラインによる所定量の生産物の生産開始時間および次の所定量の生産物の生産開始時間を検知する検知部と、
所定量の生産物の生産開始時間から次の所定量の生産物の生産開始時間までの期間の前記消費エネルギーを積算した値であるエネルギー原単位を算出する原単位算出部と、を備え、
前記管理装置は、
前記検出装置が算出したエネルギー原単位を取得するデータ取得部と、
前記エネルギー原単位を基準値内および基準値外に分類する分類部と、
前記基準値内および前記基準値外に分類された所定期間の各総消費エネルギーを表示する表示制御部と、を備えることを特徴とする管理システム。
【請求項１２】
所定量の生産物の生産に要する時間間隔よりも短い時間間隔で計測される生産ラインの消費エネルギーを示すエネルギーデータ、並びに、前記生産ラインによる所定量の生産物の生産開始時間および次の所定量の生産物の生産開始時間を示す生産時間データを取得するデータ取得ステップと、
所定量の生産物の生産開始時間から次の所定量の生産物の生産開始時間までの期間の前記消費エネルギーを積算した値であるエネルギー原単位を算出する原単位算出ステップと、
前記エネルギー原単位を基準値内および基準値外に分類する分類ステップと、
前記基準値内および前記基準値外に分類された所定期間の各総消費エネルギーを表示する表示ステップと、を含むことを特徴とする管理装置の制御方法。
【請求項１３】
所定量の生産物の生産に要する時間間隔よりも短い時間間隔で計測される生産ラインの消費エネルギーを示すエネルギーデータ、並びに、前記生産ラインによる所定量の生産物の生産開始時間および次の所定量の生産物の生産開始時間を示す生産時間データを取得するデータ取得ステップと、
所定量の生産物の生産開始時間から次の所定量の生産物の生産開始時間までの期間の前記消費エネルギーを積算した値であるエネルギー原単位を算出する原単位算出ステップと、
前記所定量の生産物の生産開始時間が生産計画時間内に含まれておりかつ基準値内である前記エネルギー原単位を基準値内に、前記所定量の生産物の生産開始時間が生産計画時間内に含まれておりかつ基準値外である前記エネルギー原単位を基準値外に、前記所定量の生産物の生産開始時間が生産計画時間外に含まれる前記エネルギー原単位を生産計画時間外に分類する分類ステップと、
前記基準値内、前記基準値外および前記生産計画時間外に分類された所定期間の各総消費エネルギーを表示する表示ステップと、を含むことを特徴とする管理装置。
【請求項１４】
請求項１又は２に記載の管理装置としてコンピュータを機能させるための制御プログラムであって、前記データ取得部、前記原単位算出部、前記分類部、および前記表示制御部としてコンピュータを機能させるための制御プログラム。
【請求項１５】
請求項１４に記載の制御プログラムを記録したコンピュータ読み取り可能な記録媒体。
【発明の詳細な説明】
【技術分野】
【０００１】
本発明は、生産設備の消費エネルギーを管理する管理装置、検出装置、管理システム、管理装置の制御方法、制御プログラムおよび記録媒体に関する。
【背景技術】
【０００２】
近年、地球温暖化防止、コスト削減、改正省エネ法の要請等の観点から、オフィス、工場等に設置されている各種設備（照明設備、空調設備、生産設備等）の省エネルギー化が進められている。特に、生産設備のエネルギー消費の割合は極めて大きいため、生産設備の省エネルギー化が求められている。
【０００３】
例えば、特許文献１に、生産設備で消費されるエネルギーの改善を支援するシステムが記載されている。特許文献１に記載のシステムでは、生産設備の消費エネルギーを、生産中、待機中、段取り変えの３つの要素に分類し、要素ごとに消費エネルギーを管理している。
【先行技術文献】
【特許文献】
【０００４】
【特許文献１】特開２０１０−２３７７７４号公報（２０１０年１０月２１日公開）
【発明の概要】
【発明が解決しようとする課題】
【０００５】
しかしながら、上述のような従来技術は、３つの要素の中身については分類していないため、どの生産物を生産したときにエネルギー原単位（単位量の製品などを生産するのに必要なエネルギー）が高いのかが分からない。また従来、エネルギー原単位を算出するときは、例えば５０台の製品を生産するのに必要なエネルギーが７，５００Ｗｈなので、１５０Ｗｈ／個という具合に求めていた。従って、５０台の製品のうち、どの１台を作っていたときにエネルギー原単位が高かったかが分からず、エネルギー原単位が高い原因がいつ、どんなことが発生したことによるものかということが分からなかった。
【０００６】
本発明は、前記の問題点に鑑みてなされたものであり、その目的は、どの生産物を生産したときにエネルギー原単位が高いかが分かる管理装置、検出装置、管理システム、管理装置の制御方法、制御プログラムおよび記録媒体を実現することにある。
【課題を解決するための手段】
【０００７】
前記の課題を解決するために、本発明に係る管理装置は、所定量の生産物の生産に要する時間間隔よりも短い時間間隔で計測される生産ラインの消費エネルギーを示すエネルギーデータ、並びに、前記生産ラインによる所定量の生産物の生産開始時間および次の所定量の生産物の生産開始時間を示す生産時間データを取得するデータ取得部と、所定量の生産物の生産開始時間から次の所定量の生産物の生産開始時間までの期間の前記消費エネルギーを積算した値であるエネルギー原単位を算出する原単位算出部と、を備えることを特徴としている。
【０００８】
前記の構成によれば、所定量の生産物のエネルギー原単位を算出することができる。よって、どの生産物を生産したときにエネルギー原単位が高いかを把握することができるという効果を奏する。
【０００９】
本発明に係る管理装置は、前記エネルギー原単位を基準値内および基準値外に分類する分類部と、前記基準値内および前記基準値外に分類された所定期間の各総消費エネルギーを表示する表示制御部と、をさらに備えていてもよい。
【００１０】
前記の構成によれば、前記基準値内に分類されたエネルギー原単位は、生産ラインが所定量の生産物を基準値以下の消費エネルギーで生産したことを示す。一方、前記基準値外に分類されたエネルギー原単位は、生産ラインが所定量の生産物を基準値より大きい消費エネルギーで生産したことを示す。すなわち、所定期間の前記基準値外に分類されたエネルギー原単位を合計した基準値外に分類された総消費エネルギーは、生産物の個数に対応した消費エネルギーの削減余地を含む。よって、前記表示制御部が、所定期間における基準値内に分類されたエネルギー原単位の合計である基準値内に分類された総消費エネルギーと、所定期間における基準値外に分類されたエネルギー原単位の合計である基準値外に分類された総消費エネルギーと、を表示することにより、所定期間における消費エネルギーの削減余地を把握することができる。
【００１１】
また、本発明に係る管理装置は、前記所定量の生産物の生産開始時間が生産計画時間内に含まれておりかつ基準値内である前記エネルギー原単位を基準値内に、前記所定量の生産物の生産開始時間が生産計画時間内に含まれておりかつ基準値外である前記エネルギー原単位を基準値外に、前記所定量の生産物の生産開始時間が生産計画時間外に含まれる前記エネルギー原単位を生産計画時間外に分類する分類部と、前記基準値内、前記基準値外および前記生産計画時間外に分類された所定期間の各総消費エネルギーを表示する表示制御部と、をさらに備えてもよい。
【００１２】
通常、生産ラインが生産活動を行っている期間である生産計画時間内の消費エネルギーである基準値内および基準値外に分類された消費エネルギーは、生産ラインの管理者等が管理すべきものである。一方、生産ラインが生産活動を行っていない期間である生産計画時間外の消費エネルギーである生産計画時間外に分類された消費エネルギーは、生産計画時間を決定する生産計画者等が管理すべきものである。
【００１３】
前記の構成によれば、前記分類部が生産ラインの消費エネルギーを基準値内、基準値外および生産計画時間外の３つに分類する。そして、前記表示制御部が基準値内、基準値外および生産計画時間外に分類された消費エネルギーを表示する。そのため、誰がどの消費エネルギーについてどの程度の省エネルギー化を図るべきかを容易に把握することができる。
【００１４】
また、本発明に係る管理装置は、前記分類部が分類したエネルギー原単位に基づいて、前記基準値内に分類されたエネルギー原単位の平均値および前記基準値外に分類されたエネルギー原単位の平均値を学習値として算出する学習値算出部と、前記学習値、計画生産数および基準値外に分類されるエネルギー原単位の目標出現率に基づいて、前記所定期間における、前記基準値内および前記基準値外に分類される各総消費エネルギーの目標値、並びに、前記基準値内および前記基準値外に分類される各総消費エネルギーの目標値を合計した前記生産ラインの総消費エネルギーの目標値の少なくとも１つを算出する目標値算出部と、をさらに備え、前記表示制御部は、さらに、前記目標値算出部が算出した目標値を表示してもよい。
【００１５】
前記の構成によれば、前記目標値算出部は、計画生産数および基準値外のエネルギー原単位の目標出現率に基づいて、前記基準値内および前記基準値外に分類される各総消費エネルギーの目標値、並びに、前記生産ラインの総消費エネルギーの目標値を算出する。そのため、生産性に応じた消費エネルギーの目標値を決定することができる。
【００１６】
また、本発明に係る管理装置は、前記分類部が分類したエネルギー原単位に基づいて、前記基準値内に分類されたエネルギー原単位の平均値、前記基準値外に分類されたエネルギー原単位の平均値、および、前記生産計画時間外における単位時間当たりの消費エネルギーを学習値として算出する学習値算出部と、前記学習値、生産計画時間、計画生産数および基準値外に分類されるエネルギー原単位の目標出現率に基づいて、前記所定期間における、前記基準値内、前記基準値外および前記生産計画時間外に分類される各総消費エネルギーの目標値、並びに、前記基準値内および前記基準値外に分類される各総消費エネルギーの目標値を合計した前記生産計画時間内における総消費エネルギーの目標値、並びに、前記生産計画時間内における総消費エネルギーの目標値および前記生産計画時間外に分類される総消費エネルギーの目標値を合計した前記生産ラインの総消費エネルギーの目標値の少なくとも１つを算出する目標値算出部と、をさらに備え、前記表示制御部は、さらに、前記目標値算出部が算出した目標値を表示してもよい。
【００１７】
前記の構成によれば、前記目標値算出部は、計画生産数および基準外のエネルギー原単位の目標出現率に基づいて、基準値内および基準値外に分類される各総消費エネルギーの目標値、並びに、前記生産計画時間内における総消費エネルギーの目標値を算出する。また、前記目標値算出部は、生産計画時間に基づいて、生産計画時間外に分類される総消費エネルギーの目標値を算出する。さらに、前記目標値算出部は、前記生産計画時間内における総消費エネルギーの目標値および前記生産計画時間外に分類される総消費エネルギーの目標値に基づいて、前記生産ラインの総消費エネルギーの目標値を算出する。そのため、生産性に応じた消費エネルギーの目標値を決定することができる。よって、生産性に応じた省エネルギー化を図ることができる。
【００１８】
また、本発明に係る管理装置において、前記分類部は、さらに、前記所定量の生産物の生産開始時間が生産計画時間外に含まれておりかつ前記所定量の生産物の生産開始時間が設備稼働計画時間内に含まれておりかつ当該設備稼働計画時間の開始時間から前記所定量の生産物の生産開始時間までの期間に前記生産計画時間を含まない前記エネルギー原単位を立上中に、前記所定量の生産物の生産開始時間が前記生産計画時間外に含まれておりかつ前記所定量の生産物の生産開始時間が設備稼働計画時間外に含まれる前記エネルギー原単位を待機中に、前記所定量の生産物の生産開始時間が前記生産計画時間外に含まれておりかつ前記所定量の生産物の生産開始時間が設備稼働計画時間内に含まれておりかつ当該設備稼働計画時間の開始時間から前記所定量の生産物の生産開始時間までの期間に前記生産計画時間を含む前記エネルギー原単位を前記待機中に分類し、前記表示制御部は、前記基準値内、前記基準値外、前記立上中および前記待機中に分類された所定期間の各総消費エネルギーを表示してもよい。
【００１９】
前記の構成によれば、前記分類部が生産計画時間外に分類した消費エネルギーを、さらに立上中または待機中に分類する。そのため、生産ラインの消費エネルギーをより詳細に管理することができ、省エネルギー化を高精度に実行することができる。
【００２０】
また、本発明に係る管理装置は、前記分類部が分類したエネルギー原単位に基づいて、前記基準値内に分類されたエネルギー原単位の平均値、前記基準値外に分類されたエネルギー原単位の平均値、並びに、前記立上中および前記待機中における単位時間当たりの消費エネルギーを学習値として算出する学習値算出部と、前記学習値、生産計画時間、設備稼働計画時間、計画生産数および基準値外に分類されるエネルギー原単位の目標出現率に基づいて、前記所定期間における、前記基準値内、前記基準値外、前記立上中および前記待機中に分類される各総消費エネルギーの目標値、並びに、前記基準値内および前記基準値外に分類される各総消費エネルギーの目標値を合計した前記生産計画時間内における総消費エネルギーの目標値、並びに、前記生産計画時間内における総消費エネルギーの目標値および前記生産計画時間外に分類される総消費エネルギーの目標値を合計した前記生産ラインの総消費エネルギーの目標値の少なくとも１つを算出する目標値算出部と、をさらに備え、前記表示制御部は、さらに、前記目標値算出部が算出した目標値を表示してもよい。
【００２１】
前記の構成によれば、前記目標値算出部は、計画生産数および基準外のエネルギー原単位の目標出現率に基づいて、基準値内および基準値外に分類される各総消費エネルギーの目標値、並びに、前記生産計画時間内における総消費エネルギーの目標値を算出する。また、前記目標値算出部は、生産計画時間および設備稼働計画時間に基づいて、立上中および待機中に分類される各総消費エネルギーの目標値を算出する。さらに、前記目標値算出部は、前記生産計画時間内における総消費エネルギーの目標値および前記生産計画時間外（待機中および立上中）に分類される総消費エネルギーの目標値に基づいて、前記生産ラインの総消費エネルギーの目標値を算出する。そのため、生産性に応じた消費エネルギーの目標値を決定することができる。よって、生産性に応じた省エネルギー化を図ることができる。
【００２２】
また、本発明に係る管理装置において、前記分類部は、前記所定量の生産物の生産開始時間が生産計画時間内に含まれておりかつ基準値内である前記エネルギー原単位を基準値内に分類し、前記所定量の生産物の生産開始時間が生産計画時間内に含まれておりかつ基準値外である前記エネルギー原単位を基準値外に分類し、前記所定量の生産物の生産開始時間が生産計画時間外に含まれておりかつ前記次の所定量生産物の生産開始時間が生産計画時間内に含まれる前記エネルギー原単位を生産計画時間外に分類し、前記所定量の生産物の生産開始時間および前記次の所定量生産物の生産開始時間が生産計画時間外に含まれておりかつ基準値内である前記エネルギー原単位を基準値内に分類し、前記所定量の生産物の生産開始時間および前記次の所定量生産物の生産開始時間が生産計画時間外に含まれておりかつ基準値外である前記エネルギー原単位を、基準値である一方のエネルギー原単位と、元のエネルギー原単位から基準値を減算した他方のエネルギー原単位とに分割し、当該一方のエネルギー原単位を基準値内に分類し、当該他方のエネルギー原単位を生産計画時間外に分類してもよい。
【００２３】
生産計画時間を超えて、生産ラインが生産活動を行った場合、エネルギー原単位の始期および終期を示す前記所定量の生産物の生産開始時間および前記次の所定量生産物の生産開始時間が生産計画時間外になる。前記の構成のように、前記分類部は、エネルギー原単位の始期および終期を示す前記所定量の生産物の生産開始時間および前記次の所定量生産物の生産開始時間が生産計画時間外である場合、そのエネルギー原単位の全部または一部を基準値内に分類する。そのため、この生産計画時間外における生産ラインの生産活動の消費エネルギーを正確に分類することができ、省エネルギー化を高精度に実行することができる。
【００２４】
また、本発明に係る管理装置において、前記分類部は、前記所定量の生産物の生産開始時間が生産計画時間内に含まれるエネルギー原単位であっても、前記所定量の生産物の生産開始時間から前記次の所定量生産物の生産開始時間までの期間が所定値より大きいエネルギー原単位を生産計画時間外に分類してもよい。
【００２５】
生産計画時間内において、例えば、突発的な故障等により前記所定量の生産物の生産開始時間から前記次の所定量生産物の生産開始時間までの期間が大きくなってしまう場合がある。このように、前記所定量の生産物の生産開始時間が生産計画時間内に含まれていても、前記所定量の生産物の生産開始時間から前記次の所定量生産物の生産開始時間までの期間が所定値より大きい場合、当該エネルギー原単位の示す消費エネルギーは、生産ラインの生産活動による消費エネルギーではないことが考えられる。
【００２６】
前記の構成によれば、前記分類部は、前記所定量の生産物の生産開始時間が生産計画時間内に含まれるエネルギー原単位であっても、前記所定量の生産物の生産開始時間から前記次の所定量生産物の生産開始時間までの期間が所定値より大きいエネルギー原単位を生産計画時間外に分類するため、生産ラインの生産活動による消費エネルギーとそうでないものとを正確に分類することができる。よって、省エネルギー化を高精度に実行することができる。
【００２７】
また、本発明に係る管理装置において、前記分類部は、前記所定量の生産物の生産開始時間が生産計画時間内に含まれるエネルギー原単位であっても、所定値より大きいエネルギー原単位を生産計画時間外に分類してもよい。
【００２８】
生産計画時間内において、例えば、突発的な故障等により待機時間が増大し、想定以上にエネルギー原単位が大きくなってしまう場合がある。このように、前記所定量の生産物の生産開始時間が生産計画時間内に含まれるエネルギー原単位であっても、エネルギー原単位が所定値より大きい場合、生産ラインの生産活動による消費エネルギーではないことが考えられる。
【００２９】
前記の構成によれば、前記分類部は、前記所定量の生産物の生産開始時間が生産計画時間内に含まれるエネルギー原単位であっても、所定値より大きいエネルギー原単位を生産計画時間外に分類するため、生産ラインの生産活動による消費エネルギーとそうでないものとを正確に分類することができる。よって、省エネルギー化を高精度に実行することができる。
【００３０】
前記の課題を解決するために、本発明に係る検出装置は、所定量の生産物の生産に要する時間間隔よりも短い時間間隔で、生産ラインの消費エネルギーを計測する計測部と、前記生産ラインによる所定量の生産物の生産開始時間および次の所定量の生産物の生産開始時間を検知する検知部と、所定量の生産物の生産開始時間から次の所定量の生産物の生産開始時間までの期間の前記消費エネルギーを積算した値であるエネルギー原単位を算出する原単位算出部と、を備えることを特徴としている。
【００３１】
前記の構成によれば、前記管理装置と同様の効果を奏する。
【００３２】
また、本発明に係る管理装置は、前記検出装置が算出したエネルギー原単位を取得するデータ取得部と、前記エネルギー原単位を基準値内および基準値外に分類する分類部と、前記基準値内および前記基準値外に分類された所定期間の各総消費エネルギーを表示する表示制御部と、を備えていてもよい。
【００３３】
また、本発明に係る管理システムは、前記検出装置と、前記管理装置とを含んでいてよい。
【００３４】
前記の課題を解決するために、本発明に係る管理装置の制御方法は、所定量の生産物の生産に要する時間間隔よりも短い時間間隔で計測される生産ラインの消費エネルギーを示すエネルギーデータ、並びに、前記生産ラインによる所定量の生産物の生産開始時間および次の所定量の生産物の生産開始時間を示す生産時間データを取得するデータ取得ステップと、所定量の生産物の生産開始時間から次の所定量の生産物の生産開始時間までの期間の前記消費エネルギーを積算した値であるエネルギー原単位を算出する原単位算出ステップと、を含むことを特徴としている。
【００３５】
前記の構成によれば、前記管理装置と同様の効果を奏する。
【００３６】
本発明の各態様に係る管理装置は、コンピュータによって実現してもよく、この場合には、コンピュータを前記管理装置が備える各部として動作させることにより前記管理装置をコンピュータにて実現させる管理装置の制御プログラム、およびそれを記録したコンピュータ読み取り可能な記録媒体も、本発明の範疇に入る。
【発明の効果】
【００３７】
本発明は、どの生産物を生産したときにエネルギー原単位が高いかを把握することができるという効果を奏する。
【図面の簡単な説明】
【００３８】
【図１】本発明の実施形態１に係る管理装置の要部構成の一例を示すブロック図である。
【図２】実施形態１に係る管理システムの概要の一例を示す図である。
【図３】前記管理装置のデータ取得部が生成する消費エネルギー時系列データの一例を示す図である。
【図４】前記データ取得部が生成する生産日時データの一例を示す図である。
【図５】前記管理装置の原単位算出部が生成するエネルギー原単位時系列データの一例を示す図である。
【図６】前記管理装置の分類部が生成するエネルギー原単位分類時系列データの一例を示す図である。
【図７】前記管理装置の学習値算出部が学習値の算出に用いる式の一例を示す図である。
【図８】前記管理装置の目標値算出部が目標値の算出に用いる式の一例を示す図である。
【図９】前記管理装置の表示部に表示される管理画像の一例を示す図である。
【図１０】生産計画時間を示す生産計画時間データの一例を示す図である。
【図１１】計画生産数を示す計画生産数データの一例を示す図である。
【図１２】前記管理装置が実行する処理の流れの一例を示すフローチャートである。
【図１３】前記原単位算出部が実行するエネルギー原単位算出処理の流れの一例を示すフローチャートである。
【図１４】前記分類部が実行するエネルギー原単位分類処理の流れの一例を示すフローチャートである。
【図１５】本発明の実施形態２に係る管理装置の要部構成の一例を示すブロック図である。
【図１６】前記管理装置の学習値算出部が学習値の算出に用いる式の一例を示す図である。
【図１７】前記管理装置の目標値算出部が目標値の算出に用いる式の一例を示す図である。
【図１８】前記管理装置の分類部が実行するエネルギー原単位分類処理の流れの一例を示すフローチャートである。
【図１９】本発明の実施形態３に係る管理装置の要部構成の一例を示すブロック図である。
【図２０】前記管理装置の分類部が実行するエネルギー原単位分類処理の流れの一例を示すフローチャートである。
【図２１】本発明の実施形態４に係る管理装置の要部構成の一例を示すブロック図である。
【図２２】前記管理装置の分類部が実行するエネルギー原単位分類処理の流れの一例を示すフローチャートである。
【図２３】実施形態５に係る管理システムおよび当該システムに含まれる装置の構成の一例を示すブロック図である。
【発明を実施するための形態】
【００３９】
＜実施形態１＞
本発明の一実施形態（実施形態１）について図１から図１４に基づいて説明すると以下の通りである。
【００４０】
〔管理システムの構成〕
図２に基づいて、本実施形態に係る管理システムについて説明する。図２は、本実施形態に係る管理システム９の概要の一例を示す図である。
【００４１】
管理システム９は、工場４等に設置された１または複数の生産設備２を含む生産ライン３の消費エネルギーを管理するシステムである。図２に示すように、管理システム９は、管理装置１、エネルギー計測センサ５および物体通過検知センサ（物体検知センサ）６を含む。
【００４２】
管理装置１は、工場４等に設置された１または複数の生産設備２を含む生産ライン３の消費エネルギーを管理する。本実施形態では、管理装置１は、１日単位で生産ライン３の消費エネルギーを管理する。ただし、これに限るものではなく、管理装置１は、３０分単位、１時間単位、１週間単位等、任意の期間単位で生産ライン３の消費エネルギーを管理してよい。管理装置１の機能および処理の詳細については後述する。
【００４３】
ここで、生産ライン３とは、製品の生産工程を機能的に分割し、その分割された一工程を実行するものである。また、生産ライン３は、生産設備２を１または複数含む機能的な集合である。つまり、製品の生産工程は、１または複数の生産ライン３から成る。なお、製品の生産工程の分割単位は任意でよい。
【００４４】
また、生産設備２は、電気、ガス、熱等の任意のエネルギーを消費して動作するものであって、製品の生産活動に直接関係する設備である。生産設備２は、例えば、機械・装置類、治工具類、運搬・貯蔵施設等であり、１または複数のエネルギー消費機器から成るものである。本実施形態では、生産設備２は、電気エネルギーで動作するものとする。
【００４５】
なお、生産ライン３（生産設備２）が複数種類のエネルギー源で動作する場合、管理装置１は、国または機関等で定められた換算係数を用いて、各種エネルギー量を原油量またはＣＯ２量等の同単位に換算し、その換算後の合計値を生産ライン３の消費エネルギー量として管理してもよい。これにより、管理装置１は、生産ライン３（生産設備２）が消費する各種エネルギーを一元管理することができる。
【００４６】
また、生産、加工、運搬等の生産ライン３が実行する一工程により供給される物を生産物と称する。生産物とは、完成品である製品、製品の一部を構成する部品、および、製品または部品を生産するために使用する物等を含むものである。また、生産ライン３が供給した生産物の個数を生産数と称する。また、生産ライン３が実行する一工程にかかる（実際の）時間を工程時間と称する。工程時間は、例えば、数秒〜数時間などであり、生産ライン３によって様々である。
【００４７】
エネルギー計測センサ５は、生産設備２の消費エネルギーを生産ライン３単位で計測するものである。具体的に、エネルギー計測センサ５は、生産ライン３に含まれる１または複数の生産設備２の合計の消費エネルギーを所定期間毎に計測する。エネルギー計測センサ５は、計測した生産ライン３全体の所定期間の消費エネルギー量と、計測した日時とが対応付けられた消費エネルギーデータ（エネルギーデータ）を管理装置１に出力する。本実施形態では、エネルギー計測センサ５は、１秒毎に生産ライン３（生産設備２Ａ〜２Ｄの合計）の消費電力を計測する。なお、エネルギー計測センサ５の測定間隔は１秒に限らず任意の期間でよい。また、エネルギー計測センサ５は、例えば、生産ライン３の生産設備２Ａ〜２Ｄに電力を供給する分電盤等に設置される。なお、エネルギー計測センサ５は、所定量（本実施形態では「１つ」）の生産物の生産に要する時間間隔よりも短い時間間隔で消費エネルギーを計測する。
【００４８】
物体通過検知センサ６は、生産ライン３に含まれる何れかの生産設備２が供給する生産物または中間生産物を検知するものである。物体通過検知センサ６は、生産物または中間生産物を検知すると、生産物または中間生産物を検知した日時を示す生産トリガ（生産信号、検知信号）を管理装置１に出力する。物体通過検知センサ６は、生産ライン３上の任意の位置に設置されていればよい。本実施形態では、物体通過検知センサ６は、生産設備２Ｄの下流に設置され、生産設備２Ｄが供給する生産物を検知するが、これに限るものではない。例えば、物体通過検知センサ６は、生産設備２Ａ、２Ｂまたは２Ｃの下流に設置され、生産設備２Ａ、２Ｂまたは２Ｃが供給する中間生産物を検知してもよい。また、本実施形態では、物体通過検知センサ６は、１つの生産物または中間生産物を検知する毎に１つの生産トリガを出力するが、これに限るものではなく、所定量の生産物または中間生産物を検知する毎に１つの生産トリガを出力してもよい。
【００４９】
図２に示す例では、工場４に１つの生産ライン３のみが設置されているが、これに限るものではなく、工場４に複数の生産ライン３が設置されていてもよい。この場合、管理装置１は、複数の生産ライン３の消費エネルギーを管理する。また、図２に示す例では、管理装置１は、１つの工場４に設置されている生産ライン３の消費エネルギーを管理しているが、これに限るものではなく、複数の工場４にそれぞれ設置されている生産ライン３の消費エネルギーを管理してもよい。また、図２に示す例では、管理装置１は、生産設備２が設置されている工場４内に設置されているが、これに限るものではなく、工場４と異なる建屋（事務所等）に設置されていてもよい。
【００５０】
〔管理装置の構成〕
図１に基づいて、本実施形態に係る管理装置１について説明する。図１は、本実施形態に係る管理装置１の要部構成の一例を示すブロック図である。図１に示すように、管理装置１は、制御部１１、記憶部１２、通信部１３、表示部１４および入力部１５を備える。
【００５１】
通信部１３は、無線通信手段または有線通信手段によって、エネルギー計測センサ５および物体通過検知センサ６等の他の装置と通信を行い、制御部１１の指示に従って、データのやりとりを行うものである。
【００５２】
表示部１４は、制御部１１の指示に従って画像を表示するものである。表示部１４は、制御部１１の指示に従って画像を表示するものであればよく、例えば、ＬＣＤ（液晶ディスプレイ）、有機ＥＬディスプレイ、プラズマディスプレイなどを適用することが可能である。なお、図１に示す例では、管理装置１が表示部１４を備えているが、これに限らず、管理装置１が、管理装置１とは別体の表示装置に画像を表示してもよい。
【００５３】
入力部１５は、ユーザが管理装置１を操作するためのものである。入力部１５は、ユーザの操作に応じた操作信号を生成し、生成した操作信号を制御部１１に出力する。入力部１５は、キーボード、マウス、キーパッド、操作ボタンなどの入力機器等で構成されているものであってもよい。また、入力部１５は、表示部１４と一体となっているタッチパネルであってもよい。また、入力部１５は、管理装置１と別体のリモートコントローラ等の遠隔制御装置であってもよい。
【００５４】
（制御部）
制御部１１は、記憶部１２から一時記憶部（不図示）に読み出されたプログラムを実行することにより、各種の演算を行うと共に、管理装置１が備える各部を統括的に制御するものである。
【００５５】
本実施形態では、制御部１１は、機能ブロックとして、データ取得部２１、原単位算出部２２、分類部２３、学習値算出部２４、目標値算出部２５、表示制御部２６および入力解析部２７を備える構成である。これらの制御部１１の各機能ブロックは、ＣＰＵ（central processing unit）が、ＲＯＭ（read only memory）等で実現された記憶装置に記憶されているプログラムをＲＡＭ（random access memory）等で実現された一時記憶部に読み出して実行することで実現できる。
【００５６】
（データ取得部）
データ取得部２１は、通信部１３を介して、エネルギー計測センサ５から消費エネルギーデータを取得し、物体通過検知センサ６から生産トリガを取得する。データ取得部２１は、取得した消費エネルギーデータを時系列に並べた消費エネルギー時系列データを生成する。また、データ取得部２１は、取得した生産トリガの示す日時を時系列に並べた生産日時データを生成する。データ取得部２１は、生成した消費エネルギー時系列データおよび生産日時データを原単位算出部２２に出力する。なお、データ取得部２１が取得する消費エネルギーデータおよび生産トリガを計測データと称する。
【００５７】
なお、管理装置１が複数の生産ライン３を管理する場合、データ取得部２１は、生産ライン３毎に消費エネルギーデータおよび生産トリガを取得し、生産ライン３毎の消費エネルギー時系列データおよび生産日時データを生成する。
【００５８】
図３に本実施形態に係るデータ取得部２１が生成する消費エネルギー時系列データの一例を示す。図３に示すように、消費エネルギー時系列データは、エネルギー計測センサ５が計測した日時と、１秒間の生産ライン３の消費エネルギー量とが対応付けられたデータである。消費エネルギーの時系列データの時間間隔（本実施形態では１秒）は、生産ラインが１つの生産物を生産するためにかかった期間（みなし期間）である生産期間よりも短い必要がある。
【００５９】
図４に本実施形態に係るデータ取得部２１が生成する生産日時データの一例を示す。図４に示すように、生産日時データは、物体通過検知センサ６が生産物または中間生産物を検知した日時が時系列に並べられたデータである。図４に示す例では、生産日時データは、さらに、管理装置１の処理開始日時および処理終了日時も含む。本実施形態では、管理装置１は、１日単位で生産ライン３の消費エネルギーを管理するため、処理開始日時が毎日０時であり、処理終了日時は毎日２４時である。
【００６０】
後述のように、原単位算出部２２が生産トリガ間において生産ライン３が１つの生産物を生産したとみなすため、データ取得部２１が取得する生産トリガは、生産ラインが１つの生産物を生産するためにかかった期間（みなし期間）である生産期間を示す生産信号であると言える。なお、１つの生産トリガが所定量の生産物または中間生産物を示す場合、当該生産トリガは、生産ラインが所定量の生産物を生産するためにかかった期間である所定量生産期間を示す生産信号である。換言すると、データ取得部２１が取得する生産トリガは、生産ライン３による所定量の生産物の生産開始時間および次の所定量の生産物の生産開始時間を示す生産時間データであると言える。
【００６１】
（原単位算出部）
原単位算出部２２は、データ取得部２１から消費エネルギー時系列データおよび生産日時データを受け取り、受け取った消費エネルギー時系列データおよび生産日時データに基づいて、エネルギー原単位を算出するものである。具体的には、原単位算出部２２は、生産日時データの示す各時点間において生産ライン３が１つの生産物を生産したとみなして、生産日時データの示す或る日時から次の日時までの消費エネルギーを積算して、生産ライン３が１つの生産物を生産するために消費したエネルギーであるエネルギー原単位を算出する。原単位算出部２２は、生産日時データの示す日時を生産開始日時とみなして、算出したエネルギー原単位に生産日時データの示す日時を対応付けたエネルギー原単位データを時系列に並べたエネルギー原単位時系列データを生成する。原単位算出部２２は、生成したエネルギー原単位時系列データを分類部２３に出力する。なお、以下では、エネルギー原単位データの示す日時を原単位開始日時と称する。すなわち、原単位開始日時は、当該エネルギー原単位の示す消費エネルギーの計測が開始された日時である。また、生産日時データにおいて、原単位開始日時の次の日時が原単位終了日時である。原単位終了日時は、当該エネルギー原単位の示す消費エネルギーの計測が終了した日時である。
【００６２】
図５に本実施形態に係る原単位算出部２２が生成するエネルギー原単位時系列データの一例を示す。図５に示すように、エネルギー原単位時系列データは、生産日時データの示す日時に、エネルギー原単位が対応付けられたデータである。
【００６３】
なお、生産トリガが所定量の生産物を生産するためにかかった期間である所定量生産期間を示す場合、原単位算出部２２は、生産ライン３において所定量の生産物の生産で消費されたエネルギーであるエネルギー原単位を算出してよい。所定量生産期間は、生産日時データ（生産時間データ）の示す或る所定量の生産物の生産開始時間（原単位開始日時）から次の所定量の生産物の生産開始時間（原単位終了日時）までの期間である。
【００６４】
（分類部）
分類部２３は、原単位算出部２２からエネルギー原単位時系列データを受け取り、エネルギー原単位時系列データに含まれる各エネルギー原単位データを所定の基準で３種類（待機中（生産計画時間外）、基準内、基準外）に分類するものである。
【００６５】
具体的には、分類部２３は、生産ライン３が生産物を生産するための生産活動を行う（予定の）時間である生産計画時間を示す生産計画時間データ３１、および、エネルギー原単位の良し悪しを判定するための閾値であるエネルギー原単位基準値３２を記憶部１２から読み出す。分類部２３は、エネルギー原単位データの示す原単位開始日時が生産計画時間データ３１の示す生産計画時間内であるか否かを判定する。分類部２３は、原単位開始日時が生産計画時間内ではない場合、当該エネルギー原単位データを「待機中（生産計画時間外）」に分類する。一方、分類部２３は、原単位開始日時が生産計画時間内である場合、さらに、エネルギー原単位データの示すエネルギー原単位がエネルギー原単位基準値３２以下であるか否かを判定する。分類部２３は、原単位開始日時が生産計画時間内であり、かつ、エネルギー原単位がエネルギー原単位基準値３２以下である場合、当該エネルギー原単位データを「基準内」に分類する。また、分類部２３は、原単位開始日時が生産計画時間内であり、かつ、エネルギー原単位がエネルギー原単位基準値３２より大きい場合、当該エネルギー原単位データを「基準外」に分類する。
【００６６】
なお、以下では、「基準内」、「基準外」、「待機中」に分類されたエネルギー原単位を、それぞれ、基準内のエネルギー原単位、基準外のエネルギー原単位、待機中のエネルギー原単位と称する。換言すると、基準内のエネルギー原単位は、生産計画時間内に計測されかつ基準値内のエネルギー原単位であり、基準外のエネルギー原単位は、生産計画時間内に計測されかつ基準値外のエネルギー原単位であり、待機中のエネルギー原単位は、生産計画時間外に計測されたエネルギー原単位である。
【００６７】
分類部２３は、分類したエネルギー原単位データの種類を示すフラグをエネルギー原単位データに付加したエネルギー原単位分類データを生成し、生成したエネルギー原単位分類データを時系列に並べたエネルギー原単位分類時系列データを生成する。分類部２３は、生成したエネルギー原単位分類時系列データを学習値算出部２４に出力する。また、分類部２３は、生成したエネルギー原単位分類時系列データを記憶部１２に格納する。
【００６８】
図６に本実施形態に係る分類部２３が生成するエネルギー原単位分類時系列データの一例を示す。図６に示すように、エネルギー原単位分類時系列データは、原単位開始日時、エネルギー原単位およびフラグが対応付けられたエネルギー原単位分類データが時系列に並べられたデータである。図６に示す例では、フラグは「−１」、「１」または「２」の値をとり、「−１」が「待機中」を示し、「１」が「基準内」を示し、「２」が「基準外」を示す。
【００６９】
なお、分類部２３は、エネルギー原単位時系列データに含まれる各エネルギー原単位データを、少なくとも基準値内または基準値外に分類すればよい。この場合、分類部２３は、エネルギー原単位データの示すエネルギー原単位がエネルギー原単位基準値３２以下である場合、当該エネルギー原単位データを基準値内に分類し、エネルギー原単位がエネルギー原単位基準値３２より大きい場合、当該エネルギー原単位データを基準値外に分類する。
【００７０】
（学習値算出部）
学習値算出部２４は、分類部２３からエネルギー原単位分類時系列データを受け取り、受け取ったエネルギー原単位分類時系列データから、目標値の算出に必要な学習値を算出するものである。具体的には、学習値算出部２４は、エネルギー原単位分類時系列データから、基準内のエネルギー原単位の平均値、基準外のエネルギー原単位の平均値および待機中における単位時間当たりの消費エネルギーを学習値として算出する。学習値算出部２４は、算出した学習値（基準内のエネルギー原単位の平均値、基準外のエネルギー原単位の平均値および待機中における単位時間当たりの消費エネルギー）を目標値算出部２５に出力する。
【００７１】
例えば、学習値算出部２４は、図７に示す式（１）に基づいて基準内のエネルギー原単位の平均値を算出してもよい。具体的には、学習値算出部２４は、エネルギー原単位分類時系列データにおいて、「基準内」に分類されたエネルギー原単位分類データの個数を特定する。学習値算出部２４は、特定した個数を、基準内のエネルギー原単位で生産された生産物の個数Ｎｏｋとみなす。そして、学習値算出部２４は、「基準内」に分類されたエネルギー原単位分類データの示すエネルギー原単位の合計値を、特定したＮｏｋで除算して、基準内のエネルギー原単位の平均値を算出する。
【００７２】
また、学習値算出部２４は、図７に示す式（２）に基づいて基準外のエネルギー原単位の平均値を算出してもよい。具体的には、学習値算出部２４は、エネルギー原単位分類時系列データにおいて、「基準外」に分類されたエネルギー原単位分類データの個数を特定する。学習値算出部２４は、特定した個数を、基準外のエネルギー原単位で生産された生産物の個数Ｎｎｇとみなす。そして、学習値算出部２４は、「基準外」に分類されたエネルギー原単位分類データの示すエネルギー原単位の合計値を、特定したＮｎｇで除算して、基準外のエネルギー原単位の平均値を算出する。
【００７３】
また、学習値算出部２４は、図７に示す式（４）に基づいて待機中における単位時間当たりの消費エネルギーを算出してもよい。具体的には、学習値算出部２４は、基準内のエネルギー原単位の平均値にＮｏｋを乗算した値と、基準外のエネルギー原単位の平均値にＮｎｇを乗算した値と、を合計した値を生産中の総消費エネルギーとして算出する（図７に示す式（４−１−１））。次に、学習値算出部２４は、エネルギー原単位分類時系列データの示す全てのエネルギー原単位を合計した値を総消費エネルギーとして算出し、総消費エネルギーから生産中の総消費エネルギーを減算した値を待機中の総消費エネルギーとして算出する（図７に示す式（４−１））。また、学習値算出部２４は、エネルギー原単位分類時系列データから、基準内および基準外の期間を合計して生産中の合計時間を算出し、エネルギー原単位分類時系列データから、全期間を合計して学習期間における合計時間を算出する。学習値算出部２４は、学習期間における合計時間から生産中の合計時間を減算して待機中の合計時間を算出する（図７に示す式（４−２））。そして、学習値算出部２４は、待機中の総消費エネルギーを待機中の合計時間で除算して、待機中における単位時間当たりの消費エネルギーを算出する（図７に示す式（４））。
【００７４】
なお、学習値算出部２４は、さらに、基準外のエネルギー原単位の出現率（全生産数に対するＮｎｇの割合）を学習値として算出してもよい。学習値算出部２４は、例えば、図７に示す式（３）に基づいて基準外のエネルギー原単位の出現率を算出してもよい。具体的には、学習値算出部２４は、ＮｏｋとＮｎｇとの合計値を全生産数として算出する（図７に示す式（３−１））。そして、学習値算出部２４は、Ｎｎｇを全生産数で除算して基準外のエネルギー原単位の出現率を算出する（図７に示す式（３））。学習値算出部２４は、算出した基準外のエネルギー原単位の出現率を表示制御部２６に出力する。
【００７５】
また、学習値算出部２４は、少なくとも基準内のエネルギー原単位の平均値および基準外のエネルギー原単位の平均値を学習値として算出すればよい。
【００７６】
（目標値算出部）
目標値算出部２５は、学習値算出部２４から学習値を受け取ると共に、記憶部１２から生産計画時間データ３１および目標値算出パラメータ３４を読み出し、受け取った学習値並びに読み出した生産計画時間データ３１および目標値算出パラメータ３４から、所定期間（本実施形態では１日当たり）の生産ライン３が消費するエネルギーの目標値を算出するものである。具体的には、目標値算出部２５は、学習値、生産計画時間データ３１および目標値算出パラメータ３４から、生産ライン３の目標総消費エネルギー、生産中の目標総消費エネルギー、基準内の目標総消費エネルギー、基準外の目標総消費エネルギーおよび待機中（生産計画時間外）の目標総消費エネルギーを目標値として算出する。目標値算出部２５は、算出した目標値（生産ライン３の目標総消費エネルギー、生産中の目標総消費エネルギー、基準内の目標総消費エネルギー、基準外の目標総消費エネルギーおよび待機中の目標総消費エネルギー）を表示制御部２６に出力する。
【００７７】
なお、生産ライン３の目標総消費エネルギーとは、所定期間に生産ライン３が消費するエネルギーの合計の目標値である。生産中の目標総消費エネルギーとは、生産計画時間内（生産活動中）の所定期間に、生産ライン３が消費するエネルギーの合計の目標値である。基準内の目標総消費エネルギーとは、所定期間に基準内に分類されるエネルギー原単位の合計の目標値である。基準外の目標総消費エネルギーとは、所定期間に基準外に分類されるエネルギー原単位の合計の目標値である。待機中の目標総消費エネルギーとは、所定期間に待機中に分類されるエネルギー原単位の合計の目標値である。
【００７８】
ここで、目標値算出パラメータ３４は、目標値の算出に必要なパラメータであって、ユーザが入力する（決定する）パラメータである。目標値算出パラメータ３４は、例えば、計画生産数、基準外のエネルギー原単位の目標出現率および待機中（生産計画時間外）の消費エネルギーの目標削減量等である。
【００７９】
例えば、目標値算出部２５は、図８に示す式（６−２）に基づいて基準外の目標総消費エネルギーを算出してもよい。具体的には、目標値算出部２５は、計画生産数に基準外のエネルギー原単位の目標出現率を乗算して、基準外のエネルギー原単位で生産される生産数の目標値を算出する（図８に示す式（６−２−１））。そして、目標値算出部２５は、学習値である基準外のエネルギー原単位の平均値に、基準外のエネルギー原単位で生産される生産数の目標値を乗算して、基準外の目標総消費エネルギーを算出する（図８に示す式（６−２））。
【００８０】
また、目標値算出部２５は、図８に示す式（６−１）に基づいて基準内の目標総消費エネルギーを算出してもよい。具体的には、目標値算出部２５は、計画生産数から基準外のエネルギー原単位で生産される生産数の目標値を減算して、基準内のエネルギー原単位で生産される生産数の目標値を算出する（図８に示す式（６−１−１））。そして、目標値算出部２５は、学習値である基準内のエネルギー原単位の平均値に、基準内のエネルギー原単位で生産される生産数の目標値を乗算して、基準内の目標総消費エネルギーを算出する（図８に示す式（６−１））。
【００８１】
また、目標値算出部２５は、図８に示す式（６）に基づいて生産中の目標総消費エネルギーを算出してもよい。具体的には、目標値算出部２５は、基準内の目標総消費エネルギーおよび基準外の目標総消費エネルギーの合計値を、生産中の目標総消費エネルギーとして算出する。
【００８２】
また、目標値算出部２５は、図８に示す式（７）に基づいて、待機中（生産計画時間外）の目標総消費エネルギーを算出してもよい。具体的には、目標値算出部２５は、生産計画時間データ３１から、生産計画時間外の合計時間である待機中の合計計画時間を特定し、学習値である待機中における単位時間当たりの消費エネルギーに、特定した待機中の合計計画時間を乗算して、待機中の目標総消費エネルギーを算出する。なお、目標値算出部２５は、目標値算出パラメータ３４に含まれる待機中の消費エネルギーの目標削減量を考慮して、待機中の目標総消費エネルギーを算出してもよい。例えば、目標値算出部２５は、待機中における単位時間当たりの消費エネルギーから待機中の消費エネルギーの目標削減量を減算して、または、待機中における単位時間当たりの消費エネルギーに待機中の合計計画時間を乗算した値から待機中の消費エネルギーの目標削減量を減算して、待機中の目標総消費エネルギーを算出してもよい。
【００８３】
また、目標値算出部２５は、図８に示す式（５）に基づいて、生産ライン３の目標総消費エネルギーを算出してもよい。具体的には、目標値算出部２５は、生産中の目標総消費エネルギーおよび待機中の目標総消費エネルギーの合計値を、生産ライン３の目標総消費エネルギーとして算出する。
【００８４】
なお、分類部２３がエネルギー原単位を基準値内および基準値外の２種類に分類した場合、目標値算出部２５は、少なくとも、基準値内の総消費エネルギーの目標値および基準値外の総消費エネルギーの目標値を算出すればよい。
【００８５】
（表示制御部）
表示制御部２６は、記憶部１２からエネルギー原単位分類時系列データ３３を読み出すと共に、目標値算出部２５から目標値を受け取って、エネルギー原単位分類時系列データ３３および目標値に基づいて、生産ライン３の消費エネルギーの実績値および目標値を示す、生産ライン３の消費エネルギーの管理画像を生成する。表示制御部２６は、生成した管理画像を表示部１４に出力し、当該管理画像を表示部１４に表示させる。
【００８６】
図９に表示制御部２６が生成する管理画像の一例を示す。図９に示す管理画像では、１日毎の生産ライン３の消費エネルギーの実績値を示す積み上げ棒グラフおよび目標値を示す折れ線グラフが示されている。このグラフでは、横軸が日付であり、縦軸が消費エネルギーである。また、縦軸において、基準点で上下に分割されており、基準点より上側に生産中の消費エネルギーが示され、基準点より下側に待機中の消費エネルギーが示されている。すなわち、生産中の消費エネルギーは、基準点より上方にいくほど消費エネルギーが高いことを示し、待機中の消費エネルギーは、基準点より下方にいくほど消費エネルギーが高いことを示す。
【００８７】
図９に示す管理画像のグラフにおいて、生産ライン３の生産中の総消費エネルギーの実績値は、基準内の総消費エネルギーの実績値および基準外の総消費エネルギーの実績値の積み上げ棒グラフとして示されている。また、生産ライン３の生産中の総消費エネルギーの目標値は、実線の折れ線グラフとして示され、生産ライン３基準内の総消費エネルギーの目標値は、破線の折れ線グラフとして示されている。
【００８８】
また、図９に示す管理画像のグラフにおいて、生産ライン３の待機中の総消費エネルギーの実績値は、基準点より下方に伸びる棒グラフとして示されている。また、生産ライン３の待機中の総消費エネルギーの目標値は、一点鎖線の折れ線グラフとして示されている。
【００８９】
図９に示す管理画像では、２週間周期で決定された目標値が示されている。すなわち、目標値算出部２５が２週間前の日の実績値（学習値）に基づいて目標値を算出している。ただし、これに限るものではなく、前年比、前年同日比、前月比、前月同日比、前日比等、目標値算出部２５は、任意の期間または日の実績値（学習値）に基づいて目標値を算出してよい。
【００９０】
また、前記の特許文献１に記載のシステムは、生産のために必要な段取り変えの消費エネルギーと、休憩等である待機中の消費エネルギーとを混合して表示している。そのため、段取り変えの消費エネルギーまたは待機中の消費エネルギーを、誰がどの程度削減すべきであるかがわからない。
【００９１】
通常、生産ライン３が生産活動を行っている期間の消費エネルギーである生産中の消費エネルギーは、生産ライン３の管理者等が管理すべきものである。一方、生産ライン３が生産活動を行っていない期間の消費エネルギーである待機中の消費エネルギーは、生産計画時間を決定する生産計画者等が管理すべきものである。そのため、本実施形態のように、基準内の消費エネルギー、基準外の消費エネルギーおよび待機中の消費エネルギーの実績値および目標値をそれぞれ区別して表示することにより、誰がどの消費エネルギーについてどの程度省エネルギー化を図るべきかを容易に把握することができる。
【００９２】
なお、図９に示す管理画像において、さらに、生産ライン３の総消費エネルギーの実績値および目標値を示してもよい。例えば、生産ライン３の総消費エネルギーの実績値および目標値をグラフ上に数値を記載して示してもよい。
【００９３】
また、表示制御部２６は、ユーザが生産計画時間データ３１、エネルギー原単位基準値３２、目標値算出パラメータ３４等を入力するための入力画像を生成し、当該入力画像を表示部１４に表示させる。なお、表示制御部２６は、目標値算出パラメータ３４（特に、基準外のエネルギー原単位の目標出現率）を入力するための入力画像に、学習値算出部２４が算出した基準外のエネルギー原単位の出現率を表示してもよい。これにより、ユーザは、学習値である学習値算出部２４が算出した基準外のエネルギー原単位の出現率を参考にして、現場の状況に応じた妥当な基準外のエネルギー原単位の目標出現率を容易に決定することができる。
【００９４】
本実施形態では、管理装置１が備える表示部１４に生産ライン３の消費エネルギーの実績値および目標値を表示しているが、これに限るものではなく、管理装置１は、管理装置１の外部の表示装置に表示してもよいし、通信部１３を介して管理装置１と異なる装置に前記実績値および目標値を示すデータを送信してもよい。すなわち、表示制御部２６は、所定期間における、生産ライン３の総消費エネルギー、生産中の総消費エネルギー、基準内の総消費エネルギー、基準外の総消費エネルギー、および、待機中（生産計画時間外）の総消費エネルギーの実績値および目標値をそれぞれ区別して出力する出力部であると言える。
【００９５】
なお、分類部２３がエネルギー原単位を基準値内および基準値外の２種類に分類した場合、表示制御部２６は、少なくとも、所定期間における、基準値内の総消費エネルギーおよび基準値外の総消費エネルギーの実績値をそれぞれ区別して出力（表示部１４に表示）すればよい。
【００９６】
また、表示制御部２６は、管理画像に示す目標値として、生産ライン３、生産中、基準内、基準外および待機中の各目標総消費エネルギーの少なくとも１つを表示すればよい。
【００９７】
（入力解析部）
入力解析部２７は、入力部１５から操作信号を受け取り、受け取った操作信号を解析し、ユーザの操作に応じた処理を実行するものである。例えば、入力解析部２７は、ユーザが入力した生産計画時間、エネルギー原単位基準値、目標値算出パラメータ（計画生産数、基準外の目標出現率および待機中の消費エネルギーの目標削減量等）に基づいて、生産計画時間データ３１、エネルギー原単位基準値３２、目標値算出パラメータ３４を生成し、生成したデータを記憶部１２に格納する。
【００９８】
（記憶部）
記憶部１２は、制御部１１が参照するプログラムやデータ等を格納するものであり、例えば、前記の生産計画時間データ３１、エネルギー原単位基準値３２、エネルギー原単位分類時系列データ３３および目標値算出パラメータ３４等を格納している。
【００９９】
図１０に生産計画時間データ３１の一例を示す。図１０に示す生産計画時間データ３１は、生産開始日時（図１０に示す「勤務開始」）および生産終了日時（図１０に示す「勤務終了」）を含み、生産開始日時から生産終了日時までの期間が生産計画時間である。
【０１００】
図１１に目標値算出パラメータ３４に含まれる計画生産数データの一例を示す。図１１に示す計画生産数データは、計画生産日と、計画生産数とが対応付けられたデータである。
【０１０１】
〔管理装置の処理〕
図１２に基づいて管理装置１の処理の流れを説明する。図１２は、管理装置１が実行する処理の流れの一例を示すフローチャートである。
【０１０２】
図１２に示すように、まず、データ取得部２１は、通信部１３を介して、エネルギー計測センサ５から消費エネルギーデータを取得し、物体通過検知センサ６から生産トリガを取得する（Ｓ１：データ取得ステップ）。データ取得部２１は、取得したデータから消費エネルギー時系列データおよび生産日時データを生成する（Ｓ２）。
【０１０３】
次に、原単位算出部２２は、エネルギー原単位算出処理を実行し、エネルギー原単位を算出する（Ｓ３：原単位算出ステップ）。続いて、分類部２３は、エネルギー原単位分類処理を実行し、エネルギー原単位が分類されたエネルギー原単位分類時系列データを生成する（Ｓ４：分類ステップ）。これらのエネルギー原単位算出処理およびエネルギー原単位分類処理について、詳細は後述する。
【０１０４】
学習値算出部２４は、分類部２３からエネルギー原単位分類時系列データを受け取り、受け取ったエネルギー原単位分類時系列データから、目標値の算出に必要な学習値を算出する（Ｓ５）。そして、目標値算出部２５は、学習値算出部２４から学習値を受け取ると共に、記憶部１２から生産計画時間データ３１および目標値算出パラメータ３４を読み出し、受け取った学習値並びに読み出した生産計画時間データ３１および目標値算出パラメータ３４から、所定期間の生産ライン３の目標値を算出する（Ｓ６）。
【０１０５】
最後に、表示制御部２６は、記憶部１２からエネルギー原単位分類時系列データ３３を読み出すと共に、目標値算出部２５から目標値を受け取って、生産ライン３の消費エネルギーの実績値および目標値を示す、生産ライン３の消費エネルギーの管理画像を生成する。そして、表示制御部２６は、生成した管理画像を表示部１４に表示させる（Ｓ７：出力ステップ）。
【０１０６】
〔エネルギー原単位算出処理〕
図１３に基づいて原単位算出部２２が実行するエネルギー原単位算出処理の流れを説明する。図１３は、原単位算出部２２が実行するエネルギー原単位算出処理の流れの一例を示すフローチャートである。なお、図１３に示す例では、原単位算出部２２が図３に示す消費エネルギー時系列データおよび図４に示す生産日時データを受け取り、生産日時データの示す最初の日時から時間を進めて処理を行うものとする。
【０１０７】
図１３に示すように、原単位算出部２２は、設定積算消費エネルギー量Ｅｓ＿ｏｌｄを「０」にし、設定時間ｔｏｌｄを現在の日時である生産日時データの示す最初の日時に設定して、データの初期化を行う（Ｓ１１）。そして、原単位算出部２２は、時間を進めて生産トリガを待つ（Ｓ１２）。
【０１０８】
次の生産トリガを検知した日時になると（Ｓ１２でＹＥＳ）、原単位算出部２２は、現在の積算消費エネルギー量Ｅｓから設定積算消費エネルギー量Ｅｓ＿ｏｌｄを減算して、エネルギー原単位Ｅｇを算出する（Ｓ１３）。
【０１０９】
原単位算出部２２は、算出したエネルギー原単位Ｅｇを開始日時である設定日時ｔｏｌｄに対応付けてエネルギー原単位データを生成し保存する（Ｓ１４）。そして、原単位算出部２２は、現在の日時ｔｎｏｗが生産日時データの示す最終日時であるか否かを判定する（Ｓ１５）。最終日時ではない場合（Ｓ１５でＮＯ）、原単位算出部２２は、積算消費エネルギー量Ｅｓ＿ｏｌｄを現在の積算消費エネルギー量Ｅｓに設定し、設定日時ｔｏｌｄを現在の日時ｔｎｏｗに設定し、設定データを更新する（Ｓ１６）。そして、次の生産トリガの検知日時まで時間を進めて（Ｓ１２）、同様の処理を繰り返す。
【０１１０】
原単位算出部２２は、前記の処理を繰り返し行い、現在の日時ｔｎｏｗが生産日時データの示す最終日時である場合（Ｓ１５でＹＥＳ）、原単位算出処理を終了する。
【０１１１】
〔エネルギー原単位分類処理〕
図１４に基づいて分類部２３が実行するエネルギー原単位分類処理の流れを説明する。図１４は、分類部２３が実行するエネルギー原単位分類処理の流れの一例を示すフローチャートである。
【０１１２】
図１４に示すように、分類部２３は、まず、原単位算出部２２からエネルギー原単位時系列データを取得する（Ｓ２１）。分類部２３は、取得したエネルギー原単位時系列データの中からエネルギー原単位データを１つ選択する（Ｓ２２）。
【０１１３】
次に、分類部２３は、選択したエネルギー原単位データの示す原単位開始日時が生産計画時間データ３１の示す生産計画時間内であるか否かを判定する（Ｓ２３）。原単位開始日時が生産計画時間内ではない場合（Ｓ２３でＮＯ）、分類部２３は、選択したエネルギー原単位データを「待機中」に分類し、フラグ「−１」と判定する（Ｓ２４）。
【０１１４】
一方、原単位開始日時が生産計画時間内である場合（Ｓ２３でＹＥＳ）、分類部２３は、さらに、選択したエネルギー原単位データの示すエネルギー原単位がエネルギー原単位基準値３２以下であるか否かを判定する（Ｓ２５）。エネルギー原単位がエネルギー原単位基準値３２以下である場合（Ｓ２５でＹＥＳ）、分類部２３は、選択したエネルギー原単位データを「基準内」に分類し、フラグ「１」と判定する（Ｓ２６）。一方、エネルギー原単位がエネルギー原単位基準値３２より大きい場合（Ｓ２５でＮＯ）、分類部２３は、選択したエネルギー原単位データを「基準外」に分類し、フラグ「２」と判定する（Ｓ２７）。
【０１１５】
分類部２３は、判定を行った後、選択したエネルギー原単位データに判定結果（フラグ）を紐付けて保存する（Ｓ２８）。そして、分類部２３は、取得したエネルギー原単位時系列データに含まれる全てのエネルギー原単位データを分類したか否かを判定する（Ｓ２９）。
【０１１６】
未分類のエネルギー原単位データがある場合（Ｓ２９でＮＯ）、分類部２３は、取得したエネルギー原単位時系列データの中から未分類のエネルギー原単位データを１つ選択して（Ｓ３０）、Ｓ２３以降の処理を実行する。一方、全てのエネルギー原単位データを分類した場合（Ｓ２９でＹＥＳ）、分類部２３は、エネルギー原単位分類処理を終了する。
【０１１７】
＜実施形態２＞
本発明の他の実施形態（実施形態２）について図１５から図１８に基づいて説明すれば、以下のとおりである。なお、説明の便宜上、前記の実施形態１において示した部材と同一の機能を有する部材には、同一の符号を付し、その説明を省略する。
【０１１８】
本実施形態では、実施形態１と異なり、エネルギー原単位を所定の基準で４種類（待機中、立上中、基準内、基準外）に分類するものである。具体的には、実施形態１では、生産計画時間外のエネルギー原単位を全て「待機中」に分類していたが、実施形態２では、生産計画時間外のエネルギー原単位を「待機中」または「立上中」に分類する。生産設備２が生産活動を行うためには、生産設備２を立ち上げる必要があるが、生産設備２の立上中では、待機中に比べて消費エネルギーが増大する。そのため、生産計画時間外の生産設備２（生産ライン３）の消費エネルギーを「待機中」または「立上中」に分類することにより、生産計画時間外の消費エネルギーをより詳細に把握することができる。以下、実施形態２において、実施形態１と異なる点について主に説明する。
【０１１９】
〔管理装置の構成〕
図１５に基づいて、本実施形態に係る管理装置１ａの構成について説明する。図１５は、実施形態２に係る管理装置１ａの要部構成の一例を示すブロック図である。図１５に示すように、管理装置１ａは、実施形態１に係る管理装置１と比較して、制御部１１に代えて制御部１１ａを備え、記憶部１２に代えて記憶部１２ａを備えている。
【０１２０】
本実施形態では、制御部１１ａは、実施形態１に係る制御部１１と比較して、分類部２３、学習値算出部２４、目標値算出部２５および表示制御部２６に代えて分類部２３ａ、学習値算出部２４ａ、目標値算出部２５ａおよび表示制御部２６ａを備える構成である。
【０１２１】
また、記憶部１２ａは、実施形態１に係る記憶部１２と比較して、エネルギー原単位分類時系列データ３３に代えて、エネルギー原単位分類時系列データ３３ａを格納し、さらに、設備稼働計画時間データ３５を格納している。
【０１２２】
（分類部）
分類部２３ａは、原単位算出部２２からエネルギー原単位時系列データを受け取り、エネルギー原単位時系列データに含まれる各エネルギー原単位データを所定の基準で４種類（待機中、立上中、基準内、基準外）に分類するものである。
【０１２３】
具体的には、分類部２３ａは、生産計画時間データ３１およびエネルギー原単位基準値３２、並びに、生産ライン３が稼働する（予定の）時間である設備稼働計画時間を示す設備稼働計画時間データ３５を記憶部１２ａから読み出す。分類部２３ａは、エネルギー原単位データの示す原単位開始日時が設備稼働計画時間データ３５の示す設備稼働計画時間内であるか否かを判定する。分類部２３ａは、原単位開始日時が設備稼働計画時間内ではない場合、当該エネルギー原単位データを「待機中」に分類する。一方、原単位開始日時が設備稼働計画時間内である場合、分類部２３ａは、さらに、エネルギー原単位データの示す原単位開始日時が生産計画時間データ３１の示す生産計画時間内であるか否かを判定する。分類部２３ａは、原単位開始日時が設備稼働計画時間内であり、かつ、生産計画時間内ではない場合、分類部２３ａは、さらに、設備稼働計画時間データ３５の示す設備稼働計画時間の開始日時からエネルギー原単位データの示す原単位開始日時までの期間に生産計画時間データ３１の示す生産計画時間（の開始日時）が含まれるか否かを判定する。分類部２３ａは、原単位開始日時が設備稼働計画時間内でありかつ生産計画時間内ではなく、かつ、設備稼働計画時間の開始日時（開始時間）から原単位開始日時までの期間に生産計画時間が含まれない場合、当該エネルギー原単位データを「立上中」に分類する。一方、分類部２３ａは、原単位開始日時が設備稼働計画時間内でありかつ生産計画時間内ではなく、かつ、設備稼働計画時間の開始日時（開始時間）から原単位開始日時までの期間に生産計画時間が含まれる場合、当該エネルギー原単位データを「待機中」に分類する。
【０１２４】
分類部２３ａは、原単位開始日時が設備稼働計画時間内、かつ、生産計画時間内である場合、さらに、エネルギー原単位データの示すエネルギー原単位がエネルギー原単位基準値３２以下であるか否かを判定する。分類部２３ａは、原単位開始日時が設備稼働計画時間内、かつ、生産計画時間内であり、かつ、エネルギー原単位がエネルギー原単位基準値３２以下である場合、当該エネルギー原単位データを「基準内」に分類する。また、分類部２３ａは、原単位開始日時が設備稼働計画時間内、かつ、生産計画時間内であり、かつ、エネルギー原単位がエネルギー原単位基準値３２より大きい場合、当該エネルギー原単位データを「基準外」に分類する。
【０１２５】
分類部２３ａは、分類したエネルギー原単位データの種類を示すフラグをエネルギー原単位データに付加したエネルギー原単位分類データを生成し、生成したエネルギー原単位分類データを時系列に並べたエネルギー原単位分類時系列データを生成する。例えば、分類部２３ａは、「待機中」に分類したエネルギー原単位データにフラグとして「−１」を付加し、「立上中」に分類したエネルギー原単位データにフラグとして「−２」を付加し、「基準内」に分類したエネルギー原単位データにフラグとして「１」を付加し、「基準外」に分類したエネルギー原単位データにフラグとして「２」を付加する。分類部２３ａは、生成したエネルギー原単位分類時系列データを学習値算出部２４ａに出力する。また、分類部２３ａは、生成したエネルギー原単位分類時系列データを記憶部１２ａに格納する。上述したように、分類部２３ａが生成したエネルギー原単位分類時系列データは、エネルギー原単位データを４種類に分類したデータである。
【０１２６】
（学習値算出部）
学習値算出部２４ａは、分類部２３ａからエネルギー原単位分類時系列データを受け取り、受け取ったエネルギー原単位分類時系列データから、目標値の算出に必要な学習値を算出するものである。具体的には、学習値算出部２４ａは、エネルギー原単位分類時系列データから、基準内のエネルギー原単位の平均値、基準外のエネルギー原単位の平均値、待機中における単位時間当たりの消費エネルギーおよび立上中における単位時間当たりの消費エネルギーを学習値として算出する。学習値算出部２４ａは、算出した学習値（基準内のエネルギー原単位の平均値、基準外のエネルギー原単位の平均値、待機中における単位時間当たりの消費エネルギーおよび立上中における単位時間当たりの消費エネルギー）を目標値算出部２５ａに出力する。
【０１２７】
例えば、学習値算出部２４ａは、実施形態１と同様に、図１６に示す式（１）に基づいて基準内のエネルギー原単位の平均値を算出してもよい。また、学習値算出部２４ａは、実施形態１と同様に、図１６に示す式（２）に基づいて基準外のエネルギー原単位の平均値を算出してもよい。
【０１２８】
また、学習値算出部２４ａは、図１６に示す式（８）に基づいて立上中における単位時間当たりの消費エネルギーを算出してもよい。具体的には、学習値算出部２４ａは、エネルギー原単位分類時系列データから、立上中のエネルギー原単位を合計して立上中の総消費エネルギーを算出し、立上中の期間を合計して立上中の合計時間を算出する。そして、学習値算出部２４ａは、立上中の総消費エネルギーを立上中の合計時間で除算して立上中における単位時間当たりの消費エネルギーを算出する。
【０１２９】
また、学習値算出部２４ａは、図１６に示す式（４）に基づいて待機中における単位時間当たりの消費エネルギーを算出してもよい。具体的には、学習値算出部２４ａは、基準内のエネルギー原単位の平均値にＮｏｋを乗算した値と、基準外のエネルギー原単位の平均値にＮｎｇを乗算した値と、を合計した値を生産中の総消費エネルギーとして算出する（図１６に示す式（４−１−１））。次に、学習値算出部２４ａは、エネルギー原単位分類時系列データの示す全てのエネルギー原単位を合計した値を総消費エネルギーとして算出し、総消費エネルギーから生産中の総消費エネルギーおよび立上中の総消費エネルギーを減算した値を待機中の総消費エネルギーとして算出する（図１６に示す式（４−３））。また、学習値算出部２４ａは、エネルギー原単位分類時系列データから、基準内および基準外の期間を合計して生産中の合計時間を算出し、エネルギー原単位分類時系列データから、全期間を合計して学習期間における合計時間を算出する。学習値算出部２４ａは、学習期間における合計時間から生産中の合計時間および立上中の合計時間を減算して待機中の合計時間を算出する（図１６に示す式（４−４））。そして、学習値算出部２４ａは、待機中の総消費エネルギーを待機中の合計時間で除算して、待機中における単位時間当たりの消費エネルギーを算出する（図１６に示す式（４））。
【０１３０】
なお、学習値算出部２４ａは、さらに、基準外のエネルギー原単位の出現率を学習値として算出してもよい。学習値算出部２４ａは、例えば、実施形態１と同様に、図１６に示す式（３）に基づいて基準外の出現率を算出してもよい。学習値算出部２４ａは、算出した基準外のエネルギー原単位の出現率を表示制御部２６ａに出力する。
【０１３１】
（目標値算出部）
目標値算出部２５ａは、学習値算出部２４ａから学習値を受け取ると共に、記憶部１２ａから生産計画時間データ３１、目標値算出パラメータ３４および設備稼働計画時間データ３５を読み出し、受け取った学習値並びに読み出した生産計画時間データ３１、目標値算出パラメータ３４および設備稼働計画時間データ３５から、所定期間（本実施形態では１日当たり）の生産ライン３の目標値を算出するものである。具体的には、目標値算出部２５ａは、学習値、生産計画時間データ３１、目標値算出パラメータ３４および設備稼働計画時間データ３５から、生産ライン３の目標総消費エネルギー、生産中の目標総消費エネルギー、基準内の目標総消費エネルギー、基準外の目標総消費エネルギー、待機中の目標総消費エネルギーおよび立上中の目標総消費エネルギーを目標値として算出する。目標値算出部２５ａは、算出した目標値（生産ライン３の目標総消費エネルギー、生産中の目標総消費エネルギー、基準内の目標総消費エネルギー、基準外の目標総消費エネルギー、待機中の目標総消費エネルギーおよび立上中の目標総消費エネルギー）を表示制御部２６ａに出力する。
【０１３２】
例えば、目標値算出部２５ａは、実施形態１と同様に、図１７に示す式（６）、（６−１）、（６−２）に基づいて、生産中の目標総消費エネルギー、基準内の目標総消費エネルギー、基準外の目標総消費エネルギーを算出してもよい。
【０１３３】
また、目標値算出部２５ａは、図１７に示す式（９）に基づいて、立上中の目標総消費エネルギーを算出してもよい。具体的には、目標値算出部２５ａは、生産計画時間データ３１および設備稼働計画時間データ３５から、１日における設備稼働計画時間の開始時刻から１日における最初の生産計画時間の開始時刻までの期間である立上中の合計計画時間を特定し、学習値である立上中における単位時間当たりの消費エネルギーに、特定した立上中の合計計画時間を乗算して、立上中の目標総消費エネルギーを算出する。
【０１３４】
また、目標値算出部２５ａは、図１７に示す式（７）に基づいて、待機中の目標総消費エネルギーを算出してもよい。具体的には、目標値算出部２５ａは、生産計画時間データ３１および設備稼働計画時間データ３５から、生産計画時間外の合計時間から立上中の合計計画時間を除算した値を待機中の合計計画時間として特定し、学習値である待機中における単位時間当たりの消費エネルギーに、特定した待機中の合計計画時間を乗算して、待機中の目標総消費エネルギーを算出する。なお、目標値算出部２５は、実施形態１と同様に、目標値算出パラメータ３４に含まれる待機中の消費エネルギーの目標削減量を考慮して、待機中の目標総消費エネルギーを算出してもよい。
【０１３５】
また、目標値算出部２５ａは、図１７に示す式（１０）に基づいて、生産ライン３の目標総消費エネルギーを算出してもよい。具体的には、目標値算出部２５ａは、生産中の目標総消費エネルギー、待機中の目標総消費エネルギーおよび立上中の目標総消費エネルギーの合計値を、生産ライン３の目標総消費エネルギーとして算出する。
【０１３６】
（表示制御部）
表示制御部２６ａは、記憶部１２ａから４種類に分類されたエネルギー原単位分類時系列データ３３ａを読み出すと共に、目標値算出部２５から目標値を受け取って、エネルギー原単位分類時系列データ３３ａおよび目標値に基づいて、生産ライン３の消費エネルギーの実績値および目標値を示す、生産ライン３の消費エネルギーの管理画像を生成する。表示制御部２６ａは、生成した管理画像を表示部１４に出力し、当該管理画像を表示部１４に表示させる。
【０１３７】
例えば、表示制御部２６ａは、管理画像において、立上中の総消費エネルギーの実績値を、待機中の総消費エネルギーの実績値に積み上げて表示してもよい。また、表示制御部２６ａは、管理画像において、立上中の総消費エネルギーの目標値を、待機中の総消費エネルギーの目標値に積み上げて表示してもよい。
【０１３８】
〔エネルギー原単位分類処理〕
図１８に基づいて、本実施形態に係る分類部２３ａが実行するエネルギー原単位分類処理の流れについて説明する。図１８は、実施形態２に係る分類部２３ａが実行するエネルギー原単位分類処理の流れの一例を示すフローチャートである。
【０１３９】
図１８に示すように、分類部２３ａは、まず、原単位算出部２２からエネルギー原単位時系列データを取得する（Ｓ４１）。分類部２３ａは、取得したエネルギー原単位時系列データの中からエネルギー原単位データを１つ選択する（Ｓ４２）。
【０１４０】
次に、分類部２３ａは、選択したエネルギー原単位データの示す原単位開始日時が設備稼働計画時間データ３５の示す設備稼働計画時間内であるか否かを判定する（Ｓ４３）。原単位開始日時が設備稼働計画時間内ではない場合（Ｓ４３でＮＯ）、分類部２３ａは、選択したエネルギー原単位データを「待機中」に分類し、フラグ「−１」と判定する（Ｓ４４）。
【０１４１】
原単位開始日時が設備稼働計画時間内である場合（Ｓ４３でＹＥＳ）、分類部２３ａは、続いて、選択したエネルギー原単位データの示す原単位開始日時が生産計画時間データ３１の示す生産計画時間内であるか否かを判定する（Ｓ４５）。原単位開始日時が生産計画時間内ではない場合（Ｓ４５でＮＯ）、分類部２３ａは、さらに、設備稼働計画時間の開始日時から原単位開始日時までの期間に生産計画時間（の開始日時）が含まれるか否かを判定する（Ｓ４６）。設備稼働計画時間の開始日時から原単位開始日時までの期間に生産計画時間が含まれない場合（Ｓ４６でＹＥＳ）、分類部２３ａは、選択したエネルギー原単位データを「立上中」に分類し、フラグ「−２」と判定する（Ｓ４７）。一方、設備稼働計画時間の開始日時から原単位開始日時までの期間に生産計画時間が含まれる場合（Ｓ４６でＮＯ）、分類部２３ａは、選択したエネルギー原単位データを「待機中」に分類し、フラグ「−１」と判定する（Ｓ４４）。
【０１４２】
一方、原単位開始日時が生産計画時間内である場合（Ｓ４５でＹＥＳ）、分類部２３ａは、さらに、選択したエネルギー原単位データの示すエネルギー原単位がエネルギー原単位基準値３２以下であるか否かを判定する（Ｓ４８）。エネルギー原単位がエネルギー原単位基準値３２以下である場合（Ｓ４８でＹＥＳ）、分類部２３ａは、選択したエネルギー原単位データを「基準内」に分類し、フラグ「１」と判定する（Ｓ４９）。一方、エネルギー原単位がエネルギー原単位基準値３２より大きい場合（Ｓ４８でＮＯ）、分類部２３ａは、選択したエネルギー原単位データを「基準外」に分類し、フラグ「２」と判定する（Ｓ５０）。
【０１４３】
分類部２３ａは、判定を行った後、選択したエネルギー原単位データに判定結果（フラグ）を紐付けて保存する（Ｓ５１）。そして、分類部２３ａは、取得したエネルギー原単位時系列データに含まれる全てのエネルギー原単位データを分類したか否かを判定する（Ｓ５２）。
【０１４４】
未分類のエネルギー原単位データがある場合（Ｓ５２でＮＯ）、分類部２３ａは、取得したエネルギー原単位時系列データの中から未分類のエネルギー原単位データを１つ選択して（Ｓ５３）、Ｓ４３以降の処理を実行する。一方、全てのエネルギー原単位データを分類した場合（Ｓ５２でＹＥＳ）、分類部２３ａは、エネルギー原単位分類処理を終了する。
【０１４５】
＜実施形態３＞
本発明の他の実施形態（実施形態３）について図１９および図２０に基づいて説明すれば、以下のとおりである。なお、説明の便宜上、前記の実施形態１において示した部材と同一の機能を有する部材には、同一の符号を付し、その説明を省略する。
【０１４６】
実施形態１では、原単位開始日時が生産計画時間外であれば、全て「待機中」に分類したが、実際には、生産ライン３の生産活動が予定通りに行われず（例えば、生産活動の延長）、生産計画時間外にも生産ライン３から生産物が供給される場合がある。本実施形態では、このような生産計画時間外における生産ライン３の生産活動の消費エネルギーを「生産中」に分類する。これにより、生産ライン３の消費エネルギーを実際の状況に合わせて高精度に分類することができる。以下、実施形態３において、実施形態１と異なる点について主に説明する。
【０１４７】
〔管理装置の構成〕
図１９に基づいて、本実施形態に係る管理装置１ｂの構成について説明する。図１９は、実施形態３に係る管理装置１ｂの要部構成の一例を示すブロック図である。図１９に示すように、管理装置１ｂは、実施形態１に係る管理装置１と比較して、制御部１１に代えて制御部１１ｂを備えている。
【０１４８】
本実施形態では、制御部１１ｂは、実施形態１に係る制御部１１と比較して、分類部２３に代えて分類部２３ｂを備える構成である。
【０１４９】
（分類部）
分類部２３ｂは、原単位算出部２２からエネルギー原単位時系列データを受け取り、エネルギー原単位時系列データに含まれる各エネルギー原単位データを所定の基準で３種類（待機中、基準内、基準外）に分類するものである。
【０１５０】
具体的には、分類部２３ｂは、生産計画時間データ３１、および、エネルギー原単位基準値３２を記憶部１２から読み出す。分類部２３ｂは、エネルギー原単位データの示す原単位開始日時が生産計画時間データ３１の示す生産計画時間内であるか否かを判定する。分類部２３ｂは、原単位開始日時が生産計画時間内である場合、実施形態１と同様に、エネルギー原単位がエネルギー原単位基準値３２以下であるか否かを判定して、「基準内」または「基準外」に分類する。
【０１５１】
一方、原単位開始日時が生産計画時間内ではない場合、分類部２３ｂは、さらに、当該原単位開始日時の次の原単位開始日時である原単位終了日時が生産計画時間内であるか否かを判定する。分類部２３ｂは、原単位開始日時が生産計画時間内ではなく、かつ、原単位終了日時が生産計画時間内である場合、当該エネルギー原単位データを「待機中」に分類する。
【０１５２】
原単位終了日時が生産計画時間内ではない場合、分類部２３ｂは、さらに、エネルギー原単位データの示すエネルギー原単位がエネルギー原単位基準値３２以下であるか否かを判定する。原単位開始日時が生産計画時間内ではなく、かつ、原単位終了日時が生産計画時間内ではなく、かつ、エネルギー原単位がエネルギー原単位基準値３２以下である場合、分類部２３ｂは、当該エネルギー原単位データを「基準内」に分類する。
【０１５３】
原単位開始日時が生産計画時間内ではなく、かつ、原単位終了日時が生産計画時間内ではなく、かつ、エネルギー原単位がエネルギー原単位基準値３２より大きい場合、分類部２３ｂは、エネルギー原単位データを生産中と待機中とに分割する。具体的には、分類部２３ｂは、エネルギー原単位基準値３２の値のエネルギー原単位に、元のエネルギー原単位データの示す原単位開始日時を対応付けて、分割後のエネルギー原単位データとし、このエネルギー原単位データを「基準内」に分類する。また、分類部２３ｂは、元のエネルギー原単位データの示すエネルギー原単位からエネルギー原単位基準値３２を減算した値に、元のエネルギー原単位データの示す原単位開始日時を対応付けて、分割後の他のエネルギー原単位データとし、この他のエネルギー原単位データを「待機中」に分類する。
【０１５４】
分類部２３ｂは、分類したエネルギー原単位データの種類を示すフラグをエネルギー原単位データに付加したエネルギー原単位分類データを生成し、生成したエネルギー原単位分類データを時系列に並べたエネルギー原単位分類時系列データを生成する。分類部２３ｂは、生成したエネルギー原単位分類時系列データを学習値算出部２４に出力する。また、分類部２３は、生成したエネルギー原単位分類時系列データを記憶部１２に格納する。
【０１５５】
原単位終了日時は、換言すると、当該エネルギー原単位の示す消費エネルギーの計測が終了した日時である。
【０１５６】
〔エネルギー原単位分類処理〕
図２０に基づいて、本実施形態に係る分類部２３ｂが実行するエネルギー原単位分類処理の流れについて説明する。図２０は、実施形態３に係る分類部２３ｂが実行するエネルギー原単位分類処理の流れの一例を示すフローチャートである。
【０１５７】
図２０に示すように、分類部２３ｂは、まず、原単位算出部２２からエネルギー原単位時系列データを取得する（Ｓ６１）。分類部２３ｂは、取得したエネルギー原単位時系列データの中からエネルギー原単位データを１つ選択する（Ｓ６２）。
【０１５８】
次に、分類部２３ｂは、選択したエネルギー原単位データの示す原単位開始日時が生産計画時間データ３１の示す生産計画時間内であるか否かを判定する（Ｓ６３）。原単位開始日時が生産計画時間内である場合（Ｓ６３でＹＥＳ）、分類部２３ｂは、さらに、選択したエネルギー原単位データの示すエネルギー原単位がエネルギー原単位基準値３２以下であるか否かを判定する（Ｓ６４）。エネルギー原単位がエネルギー原単位基準値３２以下である場合（Ｓ６４でＹＥＳ）、分類部２３ｂは、選択したエネルギー原単位データを「基準内」に分類し、フラグ「１」と判定する（Ｓ６５）。一方、エネルギー原単位がエネルギー原単位基準値３２より大きい場合（Ｓ６４でＮＯ）、分類部２３ｂは、選択したエネルギー原単位データを「基準外」に分類し、フラグ「２」と判定する（Ｓ６６）。
【０１５９】
一方、Ｓ６３において、原単位開始日時が生産計画時間内ではない場合（Ｓ６３でＮＯ）、分類部２３ｂは、続けて、選択したエネルギー原単位データの原単位終了日時が生産計画時間内であるか否かを判定する（Ｓ６７）。原単位終了日時が生産計画時間内である場合（Ｓ６７でＹＥＳ）、分類部２３ｂは、選択したエネルギー原単位データを「待機中」に分類し、フラグ「−１」と判定する（Ｓ６８）。
【０１６０】
一方、Ｓ６７において、原単位終了日時が生産計画時間内ではない場合（Ｓ６７でＮＯ）、分類部２３ｂは、さらに、選択したエネルギー原単位データの示すエネルギー原単位がエネルギー原単位基準値３２以下であるか否かを判定する（Ｓ６９）。エネルギー原単位がエネルギー原単位基準値３２以下である場合（Ｓ６９でＹＥＳ）、分類部２３ｂは、選択したエネルギー原単位データを「基準内」に分類し、フラグ「１」と判定する（Ｓ７０）。
【０１６１】
一方、Ｓ６９において、エネルギー原単位がエネルギー原単位基準値３２より大きい場合（Ｓ６９でＮＯ）、分類部２３ｂは、選択したエネルギー原単位データを生産中と待機中とに分割する（Ｓ７１）。分類部２３ｂは、エネルギー原単位がエネルギー原単位基準値３２である分割後の一方のエネルギー原単位データを「基準内」に分類し、フラグ「１」と判定する。また、分類部２３ｂは、分割後の他方のエネルギー原単位データを「待機中」に分類し、フラグ「−１」と判定する（Ｓ７２）。
【０１６２】
分類部２３ｂは、判定を行った後、選択したエネルギー原単位データに判定結果（フラグ）を紐付けて保存する（Ｓ７３）。そして、分類部２３ｂは、取得したエネルギー原単位時系列データに含まれる全てのエネルギー原単位データを分類したか否かを判定する（Ｓ７４）。
【０１６３】
未分類のエネルギー原単位データがある場合（Ｓ７４でＮＯ）、分類部２３ｂは、取得したエネルギー原単位時系列データの中から未分類のエネルギー原単位データを１つ選択して（Ｓ７５）、Ｓ６３以降の処理を実行する。一方、全てのエネルギー原単位データを分類した場合（Ｓ７４でＹＥＳ）、分類部２３ｂは、エネルギー原単位分類処理を終了する。
【０１６４】
なお、本実施形態の構成は、実施形態１だけではなく、実施形態２の構成にも適用可能である。
【０１６５】
＜実施形態４＞
本発明の他の実施形態（実施形態４）について図２１および図２２に基づいて説明すれば、以下のとおりである。なお、説明の便宜上、前記の実施形態１において示した部材と同一の機能を有する部材には、同一の符号を付し、その説明を省略する。
【０１６６】
実施形態１では、原単位開始日時が生産計画時間内であれば、全て「生産中」に分類したが、実際には、生産ライン３の生産活動が予定通りに行われず（例えば、生産設備２の突然の故障等により）、生産計画時間内にもかかわらず生産ライン３が生産活動を行っていない場合がある。本実施形態では、このような生産計画時間内における生産ライン３が生産活動を行っていない期間の消費エネルギーを「待機中」に分類する。これにより、生産ライン３の消費エネルギーを実際の状況に合わせて高精度に分類することができる。以下、実施形態４において、実施形態１と異なる点について主に説明する。
【０１６７】
〔管理装置の構成〕
図２１に基づいて、本実施形態に係る管理装置１ｃの構成について説明する。図２１は、実施形態４に係る管理装置１ｃの要部構成の一例を示すブロック図である。図２１に示すように、管理装置１ｃは、実施形態１に係る管理装置１と比較して、制御部１１に代えて制御部１１ｃを備え、記憶部１２に代えて記憶部１２ｃを備えている。
【０１６８】
本実施形態では、制御部１１ｃは、実施形態１に係る制御部１１と比較して、分類部２３に代えて分類部２３ｃを備える構成である。また、記憶部１２ｃは、実施形態１に係る記憶部１２と比較して、さらに生産判定閾値３６を格納している。
【０１６９】
（分類部）
分類部２３ｃは、原単位算出部２２からエネルギー原単位時系列データを受け取り、エネルギー原単位時系列データに含まれる各エネルギー原単位データを所定の基準で３種類（待機中、基準内、基準外）に分類するものである。
【０１７０】
具体的には、分類部２３ｃは、生産計画時間データ３１、エネルギー原単位基準値３２、および、エネルギー原単位データが「生産中」に該当するか否かを判定するための生産判定閾値３６を記憶部１２ｃから読み出す。分類部２３ｃは、エネルギー原単位データの示す原単位開始日時が生産計画時間データ３１の示す生産計画時間内であるか否かを判定する。分類部２３ｃは、原単位開始日時が生産計画時間内ではない場合、当該エネルギー原単位データを「待機中」に分類する。一方、分類部２３ｃは、原単位開始日時が生産計画時間内である場合、さらに、原単位開始日時から原単位終了日時までの生産期間が生産判定閾値３６以下であるか否かを判定する。分類部２３ｃは、原単位開始日時が生産計画時間内であるが、生産期間が生産判定閾値３６より大きい場合、当該エネルギー原単位データを「待機中」に分類する。
【０１７１】
一方、生産期間が生産判定閾値３６以下である場合、分類部２３ｃは、さらに、エネルギー原単位データの示すエネルギー原単位がエネルギー原単位基準値３２以下であるか否かを判定する。分類部２３ｃは、原単位開始日時が生産計画時間内であり、かつ、生産期間が生産判定閾値３６以下であり、かつ、エネルギー原単位がエネルギー原単位基準値３２以下である場合、当該エネルギー原単位データを「基準内」に分類する。また、分類部２３ｃは、原単位開始日時が生産計画時間内であり、かつ、生産期間が生産判定閾値３６以下であり、かつ、エネルギー原単位がエネルギー原単位基準値３２より大きい場合、当該エネルギー原単位データを「基準外」に分類する。
【０１７２】
分類部２３ｃは、分類したエネルギー原単位データの種類を示すフラグをエネルギー原単位データに付加したエネルギー原単位分類データを生成し、生成したエネルギー原単位分類データを時系列に並べたエネルギー原単位分類時系列データを生成する。分類部２３ｃは、生成したエネルギー原単位分類時系列データを学習値算出部２４に出力する。また、分類部２３ｃは、生成したエネルギー原単位分類時系列データを記憶部１２ｃに格納する。
【０１７３】
なお、分類部２３ｃは、生産期間が生産判定閾値３６以下であるか否かの判定に代えて、エネルギー原単位データの示すエネルギー原単位が生産判定閾値３６以下であるか否かを判定してもよい。この場合、分類部２３ｃは、原単位開始日時が生産計画時間内であるが、エネルギー原単位が生産判定閾値３６より大きい場合、当該エネルギー原単位データを「待機中」に分類する。また、分類部２３ｃは、原単位開始日時が生産計画時間内であり、かつ、エネルギー原単位が生産判定閾値３６以下であり、かつ、エネルギー原単位がエネルギー原単位基準値３２以下である場合、当該エネルギー原単位データを「基準内」に分類する。また、分類部２３ｃは、原単位開始日時が生産計画時間内であり、かつ、エネルギー原単位が生産判定閾値３６以下であり、かつ、エネルギー原単位がエネルギー原単位基準値３２より大きい場合、当該エネルギー原単位データを「基準外」に分類する。
【０１７４】
また、分類部２３ｃは、生産期間が生産判定閾値３６以下であるか否かの判定に加えて、エネルギー原単位データの示すエネルギー原単位が生産判定閾値３６以下であるか否かを判定してもよい。この場合、生産判定閾値３６は、生産期間と比較するための生産判定時間閾値と、エネルギー原単位と比較するための生産判定原単位閾値との２種の閾値を含む。この場合、分類部２３ｃは、原単位開始日時が生産計画時間内であるが、生産期間が生産判定時間閾値より大きい、もしくは、エネルギー原単位が生産判定原単位閾値より大きい場合、当該エネルギー原単位データを「待機中」に分類する。また、分類部２３ｃは、原単位開始日時が生産計画時間内であり、かつ、生産期間が生産判定時間閾値以下であり、かつ、エネルギー原単位が生産判定原単位閾値以下であり、かつ、エネルギー原単位がエネルギー原単位基準値３２以下である場合、当該エネルギー原単位データを「基準内」に分類する。また、分類部２３ｃは、原単位開始日時が生産計画時間内であり、かつ、生産期間が生産判定時間閾値以下であり、かつ、エネルギー原単位が生産判定原単位閾値以下であり、かつ、エネルギー原単位がエネルギー原単位基準値３２より大きい場合、当該エネルギー原単位データを「基準外」に分類する。
【０１７５】
〔エネルギー原単位分類処理〕
図２２に基づいて、本実施形態に係る分類部２３ｃが実行するエネルギー原単位分類処理の流れについて説明する。図２２は、実施形態４に係る分類部２３ｃが実行するエネルギー原単位分類処理の流れの一例を示すフローチャートである。
【０１７６】
図２２に示すように、分類部２３ｃは、まず、原単位算出部２２からエネルギー原単位時系列データを取得する（Ｓ８１）。分類部２３ｃは、取得したエネルギー原単位時系列データの中からエネルギー原単位データを１つ選択する（Ｓ８２）。
【０１７７】
次に、分類部２３ｃは、選択したエネルギー原単位データの示す原単位開始日時が生産計画時間データ３１の示す生産計画時間内であるか否かを判定する（Ｓ８３）。原単位開始日時が生産計画時間内ではない場合（Ｓ８３でＮＯ）、分類部２３ｃは、選択したエネルギー原単位データを「待機中」に分類し、フラグ「−１」と判定する（Ｓ８４）。一方、原単位開始日時が生産計画時間内である場合（Ｓ２３でＹＥＳ）、分類部２３は、さらに、原単位開始日時から原単位終了日時までの生産期間が生産判定閾値３６以下であるか否かを判定する（Ｓ８５）。生産期間が生産判定閾値３６より大きい場合（Ｓ８５でＮＯ）、分類部２３ｃは、選択したエネルギー原単位データを「待機中」に分類し、フラグ「−１」と判定する（Ｓ８４）。
【０１７８】
一方、生産期間が生産判定閾値３６以下である場合（Ｓ８５でＹＥＳ）、分類部２３ｃは、さらに、選択したエネルギー原単位データの示すエネルギー原単位がエネルギー原単位基準値３２以下であるか否かを判定する（Ｓ８６）。エネルギー原単位がエネルギー原単位基準値３２以下である場合（Ｓ８６でＹＥＳ）、分類部２３ｃは、選択したエネルギー原単位データを「基準内」に分類し、フラグ「１」と判定する（Ｓ８７）。一方、エネルギー原単位がエネルギー原単位基準値３２より大きい場合（Ｓ８６でＮＯ）、分類部２３ｃは、選択したエネルギー原単位データを「基準外」に分類し、フラグ「２」と判定する（Ｓ８８）。
【０１７９】
分類部２３ｃは、判定を行った後、選択したエネルギー原単位データに判定結果（フラグ）を紐付けて保存する（Ｓ８９）。そして、分類部２３ｃは、取得したエネルギー原単位時系列データに含まれる全てのエネルギー原単位データを分類したか否かを判定する（Ｓ９０）。
【０１８０】
未分類のエネルギー原単位データがある場合（Ｓ９０でＮＯ）、分類部２３ｃは、取得したエネルギー原単位時系列データの中から未分類のエネルギー原単位データを１つ選択して（Ｓ９１）、Ｓ８３以降の処理を実行する。一方、全てのエネルギー原単位データを分類した場合（Ｓ９０でＹＥＳ）、分類部２３ｃは、エネルギー原単位分類処理を終了する。
【０１８１】
なお、本実施形態の構成は、実施形態１だけではなく、実施形態２および３の構成にも適用可能である。
【０１８２】
＜実施形態５＞
本発明の他の実施形態（実施形態５）について図２３に基づいて説明すれば、以下のとおりである。なお、説明の便宜上、前記の実施形態１において示した部材と同一の機能を有する部材には、同一の符号を付し、その説明を省略する。
【０１８３】
本実施形態では、管理装置と異なる外部の装置がエネルギー原単位を算出し、管理装置がこの外部の装置からエネルギー原単位を受け取る。以下、実施形態５において、実施形態１と異なる点について主に説明する。
【０１８４】
〔管理システムおよびシステムに含まれる装置の構成〕
図２３に示すように、本実施形態に係る管理システム９ｄは、管理装置１ｄおよび検出装置７を含む。本実施形態では、検出装置７が、エネルギー計測センサ（計測部）５および物体通過検知センサ（検知部）６を備える。
【０１８５】
（検出装置）
図２３に示すように、検出装置７は、前記のセンサに加え、制御部７１および通信部７３を備える。制御部７１は、機能ブロックとして、データ取得部７４および原単位算出部７５を備える。データ取得部７４および原単位算出部７５は、それぞれ、実施形態１に係る管理装置１の制御部１１が備えるデータ取得部２１および原単位算出部２２と同じ機能を有する。すなわち、本実施形態では、検出装置７がセンサから取得したデータに基づいて、エネルギー原単位を算出して、エネルギー原単位時系列データを生成する。原単位算出部７５は、生成したエネルギー原単位時系列データを、通信部７３を介して管理装置１ｄに送信する。
【０１８６】
なお、本実施形態では、検出装置７がエネルギー計測センサ５および物体通過検知センサ６を備えているが、これに限るものではなく、検出装置７と、エネルギー計測センサ５および物体通過検知センサ６とは、別体であってもよい。
【０１８７】
（管理装置）
図２３に示すように、管理装置１ｄは、実施形態１に係る管理装置１と比較して、制御部１１に代えて制御部１１ｄを備えている。
【０１８８】
本実施形態では、制御部１１ｄは、実施形態１に係る制御部１１と比較して、原単位算出部２２を備えておらず、データ取得部２１に代えてデータ取得部２１ｄを備える構成である。
【０１８９】
データ取得部２１ｄは、検出装置７が生成したエネルギー原単位時系列データを、通信部１３を介して検出装置７から取得する。データ取得部２１ｄは、取得したエネルギー原単位時系列データを分類部２３に出力する。
【０１９０】
＜ソフトウェアによる実現例＞
管理装置１、１ａ、１ｂおよび１ｃの制御ブロック（特に制御部１１、１１ａ、１１ｂおよび１１ｃ）は、集積回路（ＩＣチップ）等に形成された論理回路（ハードウェア）によって実現してもよいし、ＣＰＵ（Central Processing Unit）を用いてソフトウェアによって実現してもよい。
【０１９１】
後者の場合、管理装置１、１ａ、１ｂおよび１ｃは、各機能を実現するソフトウェアであるプログラムの命令を実行するＣＰＵ、前記プログラムおよび各種データがコンピュータ（またはＣＰＵ）で読み取り可能に記録されたＲＯＭ（Read Only Memory）または記憶装置（これらを「記録媒体」と称する）、前記プログラムを展開するＲＡＭ（Random Access Memory）などを備えている。そして、コンピュータ（またはＣＰＵ）が前記プログラムを前記記録媒体から読み取って実行することにより、本発明の目的が達成される。前記記録媒体としては、「一時的でない有形の媒体」、例えば、テープ、ディスク、カード、半導体メモリ、プログラマブルな論理回路などを用いることができる。また、前記プログラムは、該プログラムを伝送可能な任意の伝送媒体（通信ネットワークや放送波等）を介して前記コンピュータに供給されてもよい。なお、本発明は、前記プログラムが電子的な伝送によって具現化された、搬送波に埋め込まれたデータ信号の形態でも実現され得る。
【０１９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１９３】
本発明は、工場等に設置された生産設備の消費エネルギーの管理に利用することができる。
【符号の説明】
【０１９４】
１、１ａ、１ｂ、１ｃ  管理装置
２  生産設備
３  生産ライン
５  エネルギー計測センサ（計測部）
６  物体通過検知センサ（検知部）
７  検出装置
９、９ｄ  管理システム
１４  表示部
１５  入力部
２１、２１ｄ  データ取得部
２２  原単位算出部
２３、２３ａ、２３ｂ、２３ｃ  分類部
２４、２４ａ  学習値算出部
２５、２５ａ  目標値算出部
２６、２６ａ  表示制御部
２７  入力解析部
７４  データ取得部
７５  原単位算出部
【図１】
0006459530.tif 000002
【図２】
0006459530.tif 000003
【図３】
0006459530.tif 000004
【図４】
0006459530.tif 000005
【図５】
0006459530.tif 000006
【図６】
0006459530.tif 000007
【図７】
0006459530.tif 000008
【図８】
0006459530.tif 000009
【図９】
0006459530.tif 000010
【図１０】
0006459530.tif 000011
【図１１】
0006459530.tif 000012
【図１２】
0006459530.tif 000013
【図１３】
0006459530.tif 000014
【図１４】
0006459530.tif 000015
【図１５】
0006459530.tif 000016
【図１６】
0006459530.tif 000017
【図１７】
0006459530.tif 000018
【図１８】
0006459530.tif 000019
【図１９】
0006459530.tif 000020
【図２０】
0006459530.tif 000021
【図２１】
0006459530.tif 000022
【図２２】
0006459530.tif 000023
【図２３】
0006459530.tif 000024